(57)【要約】【課題】あまり位相特性が重要でない制御信号のみを効率良く多重化して出力することにより、出力端子を減少させることが可能な光電変換素子集積回路、光ピックアップ装置、制御信号発生装置、駆動制御装置、光記録媒体駆動装置及びその制御方法を提供すること。【解決手段】光を受光して電気信号に変換する受光素子１３１、１３２、１３３、１３４、１３５、１３６と、電気信号に基づいて、光記録媒体に情報を記録し、又は光記録媒体に記録された情報を再生するための制御信号を生成する生成手段と、制御信号を時間軸方向に多重化する多重化手段と、時分割多重化した制御信号を出力する出力端子と、を備えることを特徴とする。【選択図】図４
2008065913.tif 000002
【特許請求の範囲】
【請求項１】
光を受光して電気信号に変換する光電変換素子と；
前記電気信号に基づいて、光記録媒体に情報を記録し、又は光記録媒体に記録された情報を再生するための複数の制御信号を生成する生成手段と；
前記複数の制御信号を時間軸方向に多重化する多重化手段と；
前記時分割多重化した制御信号を出力する出力端子と；
を備えることを特徴とする、光電変換素子集積回路。
【請求項２】
前記光電変換素子が前記光を受光する受光面は、２以上の受光領域を有することを特徴とする、請求項１に記載の光電変換素子集積回路。
【請求項３】
前記制御信号は、前記電気信号に基づいて演算して得られることを特徴とする、請求項１に記載の光電変換素子集積回路。
【請求項４】
前記制御信号は、光記録媒体に情報を記録し、又は光記録媒体に記録された情報を再生するために行われるサーボ制御のためのサーボエラー信号と、前記サーボ制御において自動化されたゲイン制御を行うための和信号、又は前記光電変換素子の受光位置を調整する調整用信号のどちらか少なくとも一方を含むことを特徴とする、請求項１に記載の光電変換素子集積回路。
【請求項５】
前記多重化手段は、前記サーボエラー信号の出力時間が、前記和信号又は前記調整用信号の出力時間よりも長くなるように、前記制御信号を時間軸方向に多重化することを特徴とする、請求項４に記載の光電変換素子集積回路。
【請求項６】
前記多重化手段は、前記和信号の出力時間が、前記調整用信号の出力時間よりも長くなるように、前記制御信号を時間軸方向に多重化することを特徴とする、請求項４に記載の光電変換素子集積回路。
【請求項７】
前記多重化手段は、外部から入力されるタイミング信号に応じて、前記制御信号を順次切り替える切替手段を有することを特徴とする、請求項１に記載の光電変換素子集積回路。
【請求項８】
光を受光して電気信号に変換する光電変換素子と；
前記電気信号に基づいて、光記録媒体に情報を記録し、又は光記録媒体に記録された情報を再生するための複数の制御信号を生成する生成手段と；
前記複数の制御信号、又は光記録媒体から読み出された再生信号を周波数に応じて多重化する多重化手段と；
前記周波数分割多重化した制御信号又は再生信号を出力する出力端子と；
を備えることを特徴とする、光電変換素子集積回路。
【請求項９】
前記多重化手段は、前記制御信号又は再生信号をハイパスフィルター処理する第１処理手段と、前記制御信号をローパスフィルター処理する第２処理手段と、前記第１処理手段及び前記第２処理手段によって生成した信号を加算する加算手段と、を有することを特徴とする、請求項８に記載の光電変換素子集積回路。
【請求項１０】
光記録媒体に光を照射する発光素子と；
前記光記録媒体で反射した光を受光して電気信号に変換する光電変換素子と、前記電気信号に基づいて、光記録媒体に情報を記録し、又は光記録媒体に記録された情報を再生するための複数の制御信号を生成する生成手段と、前記複数の制御信号を時間軸方向に多重化する多重化手段と、前記時分割多重化した制御信号を出力する出力端子と、を有する光電変換素子集積回路と；
を備えることを特徴とする、光ピックアップ装置。
【請求項１１】
光記録媒体に光を照射する発光素子と；
前記光記録媒体で反射した光を受光して電気信号に変換する光電変換素子と、前記電気信号に基づいて、光記録媒体に情報を記録し、又は光記録媒体に記録された情報を再生するための複数の制御信号を生成する生成手段と、前記複数の制御信号、又は光記録媒体から読み出された再生信号を周波数に応じて多重化する多重化手段と、前記周波数分割多重化した制御信号又は再生信号を出力する出力端子と、を有する光電変換素子集積回路と；
を備えることを特徴とする、光ピックアップ装置。
【請求項１２】
駆動装置のサーボ制御のための制御誤差信号と、前記サーボ制御において自動化されたゲイン制御を行うための規格化信号と、を含む複数の制御信号を出力する制御信号発生装置であって：
前記制御誤差信号の出力時間が、前記規格化信号の出力時間よりも長くなるように、前記制御信号を時間軸方向に多重化する多重化手段と；
前記時分割多重化した制御信号を出力する出力端子と；
を備えることを特徴とする、制御信号発生装置。
【請求項１３】
駆動装置のサーボ制御のための制御誤差信号と、前記サーボ制御において自動化されたゲイン制御を行うための規格化信号と、を含む複数の制御信号を出力する制御信号発生装置であって、前記制御誤差信号の出力時間が、前記規格化信号の出力時間よりも長くなるように、両制御信号を同一の信号線に時間軸方向に多重化する多重化手段と、前記時分割多重化した制御信号を出力する出力端子と、を有する制御信号発生装置と；
前記制御信号発生装置から多重化されて出力された制御信号を復元する信号復元手段を有し、前記駆動装置を制御する駆動信号を出力するサーボ制御手段と；
を備え、
前記信号復元手段は、前記規格化信号を出力している期間に、前記制御誤差信号、又は前記駆動信号の少なくともどちらか一方の信号レベルを保持するホールド手段を有することを特徴とする、駆動制御装置。
【請求項１４】
光記録媒体に光を照射する発光素子と；前記光記録媒体で反射した光を受光して電気信号に変換する光電変換素子と、前記電気信号に基づいて、光記録媒体に情報を記録し、又は光記録媒体に記録された情報を再生するための複数の制御信号を生成する生成手段と、前記複数の制御信号を時間軸方向に多重化する多重化手段と、前記時分割多重化した制御信号を出力する出力端子と、を有する光電変換素子集積回路と；を備える光ピックアップ装置と；
前記光ピックアップ装置を駆動する駆動手段と；
前記多重化されて出力された制御信号を復元する信号復元手段を有し、前記駆動手段を制御するサーボドライブ信号を出力するサーボ制御手段と；
を備えることを特徴とする、光記録媒体駆動装置。
【請求項１５】
前記制御信号は、光記録媒体に情報を記録し、又は光記録媒体に記録された情報を再生するために行われるサーボ制御のためのサーボエラー信号と、前記サーボ制御において自動化されたゲイン制御を行うための和信号、又は前記光電変換素子の受光位置を調整する調整用信号のどちらか少なくとも一方を含み、
前記多重化手段は、前記サーボエラー信号の出力時間が、前記和信号又は前記調整用信号の出力時間よりも長くなるように、前記制御信号を時間軸方向に多重化し、
前記信号復元手段は、前記和信号又は前記調整用信号を出力している期間に、前記サーボエラー信号、又は前記サーボドライブ信号の少なくともどちらかの信号レベルを保持するホールド手段を有することを特徴とする、請求項１４に記載の光記録媒体駆動装置。
【請求項１６】
前記制御信号は、光記録媒体に情報を記録し、又は光記録媒体に記録された情報を再生するために行われるサーボ制御のためのサーボエラー信号と、前記サーボ制御において自動化されたゲイン制御を行うための和信号、又は前記光電変換素子の受光位置を調整する調整用信号のどちらか少なくとも一方を含み、
前記多重化手段は、前記和信号の出力時間が、前記調整用信号の出力時間よりも長くなるように、前記制御信号を時間軸方向に多重化し、
前記信号復元手段は、前記調整用信号を出力している期間に、前記和信号又は前記サーボドライブ信号の少なくともどちらかの信号レベルを保持するホールド手段を有することを特徴とする、請求項１４に記載の光記録媒体駆動装置。
【請求項１７】
光記録媒体に光を照射する発光素子と；前記光記録媒体で反射した光を受光して電気信号に変換する光電変換素子と、前記電気信号に基づいて、光記録媒体に情報を記録し、又は光記録媒体に記録された情報を再生するための複数の制御信号を生成する生成手段と、前記複数の制御信号、又は光記録媒体から読み出された再生信号を周波数に応じて多重化する多重化手段と、前記周波数分割多重化した制御信号又は再生信号を出力する出力端子と、を有する光電変換素子集積回路と；を備える光ピックアップ装置と；
前記光ピックアップ装置を駆動する駆動手段と；
前記多重化されて出力された制御信号を復元する信号復元手段を有し、前記駆動手段を制御するサーボドライブ信号を出力するサーボ制御手段と；
を備えることを特徴とする、光記録媒体駆動装置。
【請求項１８】
光を受光して電気信号に変換する段階と；
前記電気信号に基づいて、光記録媒体に情報を記録し、又は光記録媒体に記録された情報を再生するための制御信号を生成する段階と；
前記制御信号を時間軸方向に多重化する段階と；
前記時分割多重化した制御信号を出力する段階と；
を有することを特徴とする、光記録媒体駆動装置の制御方法。
【請求項１９】
光を受光して電気信号に変換する段階と；
前記電気信号に基づいて、光記録媒体に情報を記録し、又は光記録媒体に記録された情報を再生するための制御信号を生成する段階と；
前記制御信号を周波数に応じて多重化する段階と；
前記周波数分割多重化した制御信号を出力する段階と；
を有することを特徴とする、光記録媒体駆動装置の制御方法。
【発明の詳細な説明】
【技術分野】
【０００１】
本発明は、光電変換素子集積回路、光ピックアップ装置、制御信号発生装置、駆動制御装置、光記録媒体駆動装置及びその制御方法に関する。
【背景技術】
【０００２】
光記録媒体駆動装置、例えば光ディスク駆動装置は、光記録媒体、例えば光ディスクに記録された情報を再生し、又は光ディスクに情報を記録する装置である。光ディスク駆動装置は、発光素子（ＬＤ）及び受光素子（ＰＤ）を有する光ピックアップを備える。発光素子からレーザー光が発光され、光ディスクで反射したレーザー光の戻り光を受光素子が受光する。そして、受光素子としての光電変換素子が受光した光を電気変換し、生成された信号を使用することによって、光ディスクに記録された情報を再生し、光ディスクに情報を記録することができる。
【０００３】
上記の受光素子は、受光素子集積回路（ＰＤＩＣ）に設けられる。そして、受光素子集積回路では、受光素子が生成した信号に基づいて演算が行われ、サーボエラー信号、和信号、調整用信号などの制御信号が生成される。これらのサーボエラー信号、和信号、調整用信号は、受光素子集積回路の出力端子から出力され、１本の信号線につき１種類の信号が伝送され、外部に出力される。なお、特許文献１には、受光素子集積回路を有する光ピックアップを用いた光ディスク駆動装置が開示されている。
【０００４】
【特許文献１】特開２００４−３９１２８号公報
【発明の開示】
【発明が解決しようとする課題】
【０００５】
上述のとおり、受光素子集積回路は、内部に演算処理手段を有しており、演算されたサーボエラー信号、和信号、調整用信号を出力することによって、出力される制御信号の種類数を抑えることができた。一方、受光素子集積回路で生成され出力される制御信号と、受光素子集積回路に設けられた出力端子とは、１対１で対応して、各制御信号が出力されてきた。従って、出力される制御信号の種類を増加させると、受光素子集積回路に設ける出力端子が増加してしまう。
【０００６】
受光素子集積回路から出力される制御信号は、例えば、サーボエラー信号が４種類、和信号が４種類、調整用信号が２種類、再生用信号が４種類であり、総計１４種類である。このとき、図２０に示すように、受光素子集積回路３０に設けられる出力端子は、信号の種類数と対応することから、１４端子(ＳＰＰ１、ＳＰＰ２、ＭＰＰ、ＳＰＤ１、ＳＰＤ２、ＭＰＩ、ＳＳＤ−ＰＩ、ＳＳＤ−ＦＥ、Ｙ１、Ｙ２、Ｏ、Ｐ、Ｑ、Ｒ)である。また、３つの電源端子（Ｖｃｃ、Ｖｃ、ＧＮＤ）と合わせると、受光素子集積回路３０には、総計１７端子が設けられる。なお、図２０は、従来の光ピックアップの受光素子集積回路を示す平面図である。受光素子集積回路３０には、例えば、受光素子３１、３２、３３、３４、３５、３６が設けられている。
【０００７】
しかし、光ディスク駆動装置は、近年、高密度化への要求と共に、小型化、低価格化への要求が高まっており、これらの必要性に応えるために、各種の光学部品を集積化し、部品点数を削減した小型の光ピックアップの開発が行われている。そのため、光ピックアップを小型化するために、光ピックアップに使用される受光素子集積回路に設けられる出力端子の数を減少させる必要があるという問題があった。
【０００８】
そこで、本発明は、上記問題に鑑みてなされたものであり、本発明の目的とするところは、制御信号を効率良く多重化して出力することにより、出力端子を減少させることが可能な、新規かつ改良された光電変換素子集積回路、光ピックアップ装置、制御信号発生装置、駆動制御装置、光記録媒体駆動装置及びその制御方法を提供することにある。
【課題を解決するための手段】
【０００９】
上記課題を解決するために、本発明のある観点によれば、光を受光して電気信号に変換する光電変換素子と、電気信号に基づいて、光記録媒体に情報を記録し、又は光記録媒体に記録された情報を再生するための複数の制御信号を生成する生成手段と、複数の制御信号を時間軸方向に多重化する多重化手段と、時分割多重化した制御信号を出力する出力端子と、を備えることを特徴とする、光電変換素子集積回路が提供される。
【００１０】
かかる構成において、光電変換素子は、例えば光記録媒体で反射した光を受光して、その光を電気信号に変換し、その電気信号に基づいて、生成手段は、光記録媒体に情報を記録するための、又は光記録媒体に記録された情報を再生するための複数の制御信号を生成し、更に、多重化手段は、制御信号を時間軸方向に多重化する。そして、光電変換素子集積回路に備えられた出力端子から時分割多重化された制御信号が出力される。その結果、制御信号を効率良く多重化して出力するので、必要な出力端子の数を減少させることができ、光電変換素子集積回路を小型化することができる。
【００１１】
上記光電変換素子が光を受光する受光面は、２以上の受光領域を有することができる。かかる構成において、光電変換素子集積回路に設けられた光電変換素子は、光を受光する受光面が２以上の受光領域を有するので、光電変換素子の１つの受光面から２以上の電気信号を得ることができ、光電変換素子集積回路が狭い面積であっても、光記録媒体に情報を記録し、又は光記録媒体に記録された情報を再生するために必要な制御信号を効率良く生成することができる。
【００１２】
上記制御信号は、電気信号に基づいて演算して得るようにすることができる。かかる構成において、制御信号が、生成手段によって、光電変換素子で変換された電気信号に基づいて演算されて生成されるので、光電変換素子集積回路から出力される信号の数を低減することができ、出力端子数を減少させて、光電変換素子集積回路を小型化することができる。
【００１３】
上記制御信号は、光記録媒体に情報を記録し、又は光記録媒体に記録された情報を再生するために行われるサーボ制御のためのサーボエラー信号と、サーボ制御において自動化されたゲイン制御を行うための和信号、又は光電変換素子の受光位置を調整する調整用信号のどちらか少なくとも一方を含むことができる。かかる構成において、サーボエラー信号は、例えば、電気信号から主に減算演算により得られ、例えば、フォーカスエラー信号、トラッキングエラー信号がある。和信号は、例えば、電気信号から加算演算により得られる。サーボエラー信号調整用信号は、光電変換素子の受光位置を調整するために使用され、光ピックアップ装置や光ディスク装置などの組立て精度を向上させる。そして、サーボエラー信号と、和信号又は調整用信号のいずれか少なくとも一方とが、多重化手段によって時間軸方向に多重化されて、出力される。なお、制御信号のうち和信号又は調整用信号は、いずれか一方のみを時分割多重化する場合もある。
【００１４】
上記多重化手段は、サーボエラー信号の出力時間が、和信号又は調整用信号の出力時間よりも長くなるように、制御信号を時間軸方向に多重化することができる。サーボエラー信号の出力は、各サーボエラー信号の周波数特性がサーボ特性に直接的に影響するが、和信号と、調整用信号は、サーボエラー信号に比べて、周波数特性の影響を受けにくい。そのため、各サーボエラー信号の出力の高域での位相特性を重視した多重化を行うことができる。つまり、あまり位相特性が重要でない和信号、及び調整用信号といった制御信号は、サーボエラー信号に対して出力時間を短くすることにより、効率良く多重化して出力することができる。
【００１５】
上記多重化手段は、和信号の出力時間が、調整用信号の出力時間よりも長くなるように、制御信号を時間軸方向に多重化することができる。かかる構成において、和信号と比べて、調整用信号は、より周波数特性の影響を受けにくいことから、それぞれの信号を効率良く多重化して出力することができる。
【００１６】
上記多重化手段は、外部から入力されるタイミング信号に応じて、制御信号を順次切り替える切替手段を有することができる。かかる構成において、多重化手段は、切替手段を有し、切替手段は、外部から入力されるタイミング信号に応じて、制御信号を順次切り替えることができる。従って、制御信号は、切替手段によって時間軸方向に多重化されて、光電変換素子集積回路から出力される。
【００１７】
また、上記課題を解決するために、本発明の別の観点によれば、光を受光して電気信号に変換する光電変換素子と、電気信号に基づいて、光記録媒体に情報を記録し、又は光記録媒体に記録された情報を再生するための複数の制御信号を生成する生成手段と、複数の制御信号、又は光記録媒体から読み出された再生信号を周波数に応じて多重化する多重化手段と、周波数分割多重化した制御信号又は再生信号を出力する出力端子と、を備えることを特徴とする、光電変換素子集積回路が提供される。
【００１８】
かかる構成において、光電変換素子は、例えば光記録媒体で反射した光を受光して、その光を電気信号に変換し、その電気信号に基づいて、生成手段は、光記録媒体に情報を記録するための、又は光記録媒体に記録された情報を再生するための複数の制御信号を生成し、更に、多重化手段は、制御信号、又は光記録媒体から読み出された再生信号を周波数に応じて多重化する。そして、光電変換素子集積回路に備えられた出力端子から周波数分割多重化された制御信号、又は再生信号が出力される。その結果、制御信号を効率良く多重化して出力するので、必要な出力端子の数を減少させることができ、光電変換素子集積回路を小型化することができる。
【００１９】
上記多重化手段は、制御信号又は再生信号をハイパスフィルター処理する第１処理手段と、制御信号をローパスフィルター処理する第２処理手段と、第１処理手段及び第２処理手段によって生成した信号を加算する加算手段と、を有することができる。かかる構成において、加算手段は、第１処理手段と第２処理手段に接続される。そして、ハイパスフィルター処理された制御信号又は再生信号が、所定の周波数より下の周波数帯域の信号を含まず、ローパスフィルター処理された制御信号が、所定の周波数より上の周波数帯域の信号を含まないで、両者が多重化されて、光電変換素子集積回路から出力される。
【００２０】
また、上記課題を解決するために、本発明の別の観点によれば、光記録媒体に光を照射する発光素子と、光記録媒体で反射した光を受光して電気信号に変換する光電変換素子と、電気信号に基づいて、光記録媒体に情報を記録し、又は光記録媒体に記録された情報を再生するための複数の制御信号を生成する生成手段と、複数の制御信号を時間軸方向に多重化する多重化手段、又は複数の制御信号、若しくは光記録媒体から読み出された再生信号を周波数に応じて多重化する多重化手段と、時分割多重化又は周波数分割多重化した制御信号を出力する出力端子と、を有する光電変換素子集積回路と、を備えることを特徴とする、光ピックアップ装置が提供される。
【００２１】
かかる構成において、光ピックアップ装置における発光素子は光を発光し、当該光が光記録媒体で反射して、その反射光が光電変換素子集積回路に入射する。光ピックアップ装置は、例えば、発光駆動手段、フォーカス駆動手段、トラッキング駆動手段を更に備えてもよい。発光駆動手段は、例えばＬＤドライバであり、発光素子の発光を駆動する。また、対物レンズは、光記録媒体に対向するように配置され、発光素子から発光する光を光記録媒体に照射させる。フォーカス駆動手段及びトラッキング駆動手段は、例えば２軸アクチュエータであり、対物レンズを光記録媒体のフォーカス方向又はトラッキング方向に駆動して、照射する光の位置を調整する。光ピックアップ装置に設けられる光電変換素子集積回路は、制御信号を効率良く、時分割多重化又は周波数分割して出力するので、出力端子が低減され、小型化される。その結果、光ピックアップ装置も小型化を図ることができる。
【００２２】
また、上記課題を解決するために、本発明の別の観点によれば、駆動装置のサーボ制御のための制御誤差信号と、サーボ制御において自動化されたゲイン制御を行うための規格化信号と、を含む複数の制御信号を出力する制御信号発生装置であって、制御誤差信号の出力時間が、規格化信号の出力時間よりも長くなるように、制御信号を時間軸方向に多重化する多重化手段と、時分割多重化した制御信号を出力する出力端子と、を備えることを特徴とする、制御信号発生装置が提供される。
【００２３】
また、上記課題を解決するために、本発明の別の観点によれば、駆動装置のサーボ制御のための制御誤差信号と、サーボ制御において自動化されたゲイン制御を行うための規格化信号と、を含む複数の制御信号を出力する制御信号発生装置であって、制御誤差信号の出力時間が、規格化信号の出力時間よりも長くなるように、両制御信号を同一の信号線に時間軸方向に多重化する多重化手段と、時分割多重化した制御信号を出力する出力端子と、を有する制御信号発生装置と、制御信号発生装置から多重化されて出力された制御信号を復元する信号復元手段を有し、駆動装置を制御する駆動信号を出力するサーボ制御手段と、を備え、信号復元手段は、規格化信号を出力している期間に、制御誤差信号、又は駆動信号の少なくともどちらか一方の信号レベルを保持するホールド手段を有することを特徴とする、駆動制御装置が提供される。
【００２４】
また、上記課題を解決するために、本発明の別の観点によれば、光記録媒体に光を照射する発光素子と、光記録媒体で反射した光を受光して電気信号に変換する光電変換素子と、電気信号に基づいて、光記録媒体に情報を記録し、又は光記録媒体に記録された情報を再生するための複数の制御信号を生成する生成手段と、複数の制御信号を時間軸方向に多重化する多重化手段、又は複数の制御信号、若しくは光記録媒体から読み出された再生信号を周波数に応じて多重化する多重化手段と、時分割多重化又は周波数分割多重化した制御信号を出力する出力端子と、を有する光電変換素子集積回路と、を備える光ピックアップ装置と、光ピックアップ装置を駆動する駆動手段と、多重化されて出力された制御信号を復元する信号復元手段を有し、駆動手段を制御するサーボドライブ信号を出力するサーボ制御手段と、を備え、サーボ制御手段は、多重化されて出力された制御信号を復元する信号復元手段を有することを特徴とする、光記録媒体駆動装置が提供される。
【００２５】
かかる構成において、光記録媒体駆動装置は、例えば、媒体駆動手段と、移動手段とを更に備えてもよい。媒体駆動手段は、例えばスピンドルモータであり、光記録媒体が例えば光ディスクである場合は、回転軸を中心に光ディスクを回転させる。移動手段は、例えばスライドモータであり、光ピックアップ装置を光ディスクに対して半径方向に移動させる。なお、移動手段は、光ピックアップ装置内で対物レンズのみを半径方向に移動させ、トラッキング駆動手段と兼ねる場合もある。また、サーボ制御手段は、光ピックアップ装置の２軸アクチュエータを駆動するためのフォーカスドライバ信号、トラッキングドライバ信号や、スピンドルモータを駆動するためのスピンドルドライバ信号や、スライドモータを駆動するためのスライドモータドライバ信号等のサーボドライブ信号を出力する。更に、サーボ制御手段に設けられる信号復元手段は、光電変換素子集積回路から多重化されて出力された制御信号を復元し、復元された制御信号は、サーボ制御手段において処理されて、上記の各サーボドライブ信号が得られる。ここで、サーボドライブ信号は、駆動信号の一例である。
【００２６】
上記制御信号は、光記録媒体に情報を記録し、又は光記録媒体に記録された情報を再生するために行われるサーボ制御のためのサーボエラー信号と、サーボ制御において自動化されたゲイン制御を行うための和信号、又は光電変換素子の受光位置を調整する調整用信号のどちらか少なくとも一方を含み、多重化手段は、サーボエラー信号の出力時間が、和信号又は調整用信号の出力時間よりも長くなるように、制御信号を時間軸方向に多重化し、信号復元手段は、和信号又は調整用信号を出力している期間に、サーボエラー信号、又はサーボドライブ信号の少なくともどちらかの信号レベルを保持するホールド手段を有することができる。更に、別の観点によれば、多重化手段は、和信号の出力時間が、調整用信号の出力時間よりも長くなるように、制御信号を時間軸方向に多重化し、信号復元手段は、調整用信号を出力している期間に、和信号又はサーボドライブ信号の少なくともどちらかの信号レベルを保持するホールド手段を有することができる。
【００２７】
また、サーボエラー信号、又はサーボドライブ信号をホールドする場合、例えば、ドライブ電流として、ＬＰＦ（low pass filter）後のドライブ電流を出し続ける、いわゆるサーボホールドを行う場合、ホールド期間を調整することにより、サーボの安定性や取れ残りに支障が生じることはない。サーボエラー信号の出力は、各サーボエラー信号の周波数特性がサーボ特性に直接的に影響する一方、和信号と、調整用信号は、サーボエラー信号に比べて、周波数特性の影響を受けにくい。そのため、各サーボエラー信号の出力の高域での位相特性を重視した多重化を行うことができる。つまり、あまり位相特性が重要でない和信号、及び調整用信号といった制御信号は、サーボエラー信号に対して出力時間を短くすることにより、効率良く多重化して出力することができる。同様に、調整用信号を出力している期間に、和信号をホールドする場合も、ホールド期間を調整することにより、サーボ制御における自動化されたゲイン制御の安定性に支障をきたすことはない。
【００２８】
また、上記課題を解決するために、本発明の別の観点によれば、光を受光して電気信号に変換する段階と、電気信号に基づいて、光記録媒体に情報を記録し、又は光記録媒体に記録された情報を再生するための複数の制御信号を生成する段階と、複数の制御信号を時間軸方向に多重化する段階と、時分割多重化した制御信号を出力する段階と、を有することを特徴とする、光記録媒体駆動装置の制御方法が提供される。更に、別の観点によれば、光を受光して電気信号に変換する段階と、電気信号に基づいて、光記録媒体に情報を記録し、又は光記録媒体に記録された情報を再生するための複数の制御信号を生成する段階と、複数の制御信号又は光記録媒体から読み出された再生信号を周波数に応じて多重化する段階と、周波数分割多重化した制御信号又は再生信号を出力する段階と、を有することを特徴とする、光記録媒体駆動装置の制御方法が提供される。
【００２９】
かかる構成において、光電変換素子は、例えば光記録媒体で反射した光を受光して、その光を電気信号に変換し、その電気信号に基づいて、光記録媒体に情報を記録するための、又は光記録媒体に記録された情報を再生するための複数の制御信号を生成する。更に、制御信号を時間軸方向に多重化、又は、制御信号又は再生信号を周波数に応じて多重化する。そして、光電変換素子集積回路に備えられた出力端子から時分割多重化又は周波数多重化された制御信号が出力される。その結果、制御信号を効率良く多重化して出力するので、必要な出力端子の数を減少させることができ、光電変換素子集積回路を小型化することができる。
【発明の効果】
【００３０】
本発明によれば、制御信号を効率良く多重化して出力することにより、出力端子を減少させることができる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
（第１の実施形態）
まず、本発明の第１の実施形態に係る光ディスク駆動装置について説明する。図１は、本発明の第１の実施形態に係る光ディスク駆動装置を示すブロック図である。図２は、本実施形態に係る光ディスク駆動装置の光ピックアップを示す説明図である。図３は、本実施形態に係る光ピックアップの光集積素子を示す説明図である。図４は、本実施形態に係る受光素子集積回路を示す平面図である。
【００３３】
図１に示すように、本実施形態に係る光ディスク駆動装置は、光ディスク１９０に記録された情報を再生し、又は光ディスク１９０に情報を記録する光ピックアップ１４０と、光ディスク１９０を回転駆動するディスク駆動手段１６０と、光ピックアップ１４０及びディスク駆動手段１６０を制御するサーボ制御手段１７０とを有する。ここで、光ディスク駆動装置は、光記録媒体駆動装置、駆動制御装置の一例であり、光ディスク１９０は、光記録媒体の一例である。
【００３４】
光ピックアップ１４０は、レーザー光を発する発光素子１１０（ＬＤ）と、レーザー光を反射及び透過させる積層プリズム１２０と、レーザー光を受ける受光素子１３１、１３２、１３３、１３４、１３５、１３６（図４参照）が設けられた受光素子集積回路１３０と、光ディスク１９０に対向し、レーザー光を透過させる対物レンズ１５２とを有する。光ピックアップ１４０は、更に、対物レンズ１５２をフォーカス方向及びトラッキング方向に駆動する２軸アクチュエータ１５４と、光ディスク１９０の半径方向に光ピックアップ１４０を駆動するスライドモータ１５６と、発光素子１１０を駆動するＬＤドライバ１５８とを有する。ここで、受光素子１３１、１３２、１３３、１３４、１３５、１３６は、光電変換素子（ＰＤ）の一例であり、受光素子集積回路１３０は、光電変換素子集積回路（ＰＤＩＣ）、又は制御信号発生装置の一例である。
【００３５】
また、受光素子集積回路１３０は、受光素子１３１、１３２、１３３、１３４、１３５、１３６が受光した光を電気信号に変換し、この電気信号に基づいて制御信号を生成し、サーボ制御手段１７０及びＲＦアンプ１２９に制御信号を出力する。サーボ制御手段１７０に出力される制御信号は、サーボエラー信号、和信号、調整用信号などの光ディスク１９０に情報を記録し、光ディスクに記録された情報を再生するための信号である。ＲＦアンプ１２９には、光ディスク１９０に記録された情報の再生結果を表わす高周波信号が出力される。ここで、サーボエラー信号は、制御誤差信号の一例であり、和信号は、規格化信号の一例である。
【００３６】
ディスク駆動手段１６０は、光ディスク１９０を回転駆動するスピンドルモータ１６２と、スピンドルモータ１６２に設けられ、光ディスク１９０を載置するスピンドル１６４と、スピンドル１６４に設けられたディスククランプ１６６とを有する。ディスク駆動手段１６０のスピンドルモータ１６２は、サーボ制御手段１７０に設けられたスピンドルドライバ１８０によって制御されて、光ディスク１９０を回転駆動する。
【００３７】
また、サーボ制御手段１７０は、受光素子集積回路１３０から出力された多重化されている信号を復元する信号復元回路基板１７２と、各種データのＡ／Ｄ変換などを行う変換部１７４と、サーボ制御手段１７０全体の動作を制御する制御用マイコン１７９及び位相補償部１７６とを有している。サーボ制御手段１７０は、更に、スピンドルモータ１６２の駆動信号を出力するスピンドルドライバ１８０と、２軸アクチュエータ１５４におけるフォーカシングコイル（図示せず。）を駆動する駆動信号を出力するフォーカスドライバ１８２と、同じく２軸アクチュエータ１５４におけるトラッキングコイル（図示せず。）を駆動する駆動信号を出力するトラッキングドライバ１８４と、スライドモータ１５６を駆動する駆動信号を出力するスライドモータドライバ１８６とを有する。
【００３８】
位相補償部１７６は、デジタルフィルターなどとして機能するＤＳＰ１７７と、アナログフィルタ１７８とを有する。位相補償部１７６は、入力されたフォーカスエラー信号、トラッキングエラー信号、和信号を位相補償し、位相補償されたそれぞれの信号をフォーカスドライバ１８２、トラッキングドライバ１８４、スライドモータドライバ１８６に出力する。
【００３９】
次に、図２及び図３を参照して、本実施形態に係る光ピックアップ１４０の構成について説明する。光ピックアップ１４０は、図２に示すように、レーザー光を発光及び受光する光集積素子１００と、レーザー光を光ディスク１９０に導き、光ディスク１９０からの反射光を光集積素子に導く光学系１５０とを有する。図３を参照すると、本実施形態に係る光ピックアップ１４０の光集積素子１００は、素子基板１０２と、素子基板１０２に設けられた発光素子１１０と、立ち上げミラー１０４と、ＦＡＰＣ用受光素子１０５と、再生信号検出用の受光素子集積回路１３０とを有し、更に、λ／２板１０６と、モールド複合素子１０８と、積層プリズム１２０とを有する。
【００４０】
発光素子１１０と、立ち上げミラー１０４と、ＦＡＰＣ用受光素子１０５は、素子基板１０２に対して、リッド１０３側に設けられる。リッド１０３は、光集積素子１００において、発光素子１１０と、立ち上げミラー１０４と、ＦＡＰＣ用受光素子１０５とを内部に封じるように被覆している。λ／２板と、モールド複合素子１０８と、積層プリズム１２０は、素子基板１０２に対して、光ディスク１９０側に設けられ、光ディスク１９０側を上部とすると、素子基板１０２の上部にモールド複合素子１０８が設置され、モールド複合素子１０８の上部に積層プリズム１２０が設置されるように構成される。
【００４１】
発光素子１１０は、光ディスク１９０にレーザー光が到達するように、立ち上げミラー１０４に向けてレーザー光を発光する。立ち上げミラー１０４は、発光素子１１０側に傾斜面が形成されており、発光素子１１０から発光されたレーザー光の大部分を９０°反射させて、光ディスク１９０の方向へレーザー光を導く。また、立ち上げミラー１０４は、一部のレーザー光を透過させて、ＦＡＰＣ用受光素子１０５の方向へレーザー光を導く。本実施形態では、ＦＡＰＣ用受光素子１０５に入射されるレーザー光の光量が常に一定になるように発光素子１１０の光量の自動制御が行われる。
【００４２】
λ／２板１０６は、光ディスク１９０側に９０°立ち上げられたレーザー光を透過し、位相差１８０°を与えて、直線偏光の向きを変える。モールド複合素子１０８には、グレーティング１１２と、ホログラム１１４とが形成される。グレーティング１１２は、λ／２板１０６を透過したレーザー光を３つに分割する。また、ホログラム１１４は、光ディスク１９０で反射した戻り光を透過させて、受光素子集積回路１３０上の受光素子１３１、１３２表面にビームスポットを形成する。
【００４３】
積層プリズム１２０は、ＰＢＳ膜１２２と、ビームスプリッタ１２４（ＢＳ）と、全反射ミラー１２６とを有する。ＰＢＳ膜１２２は、グレーティング１１２を透過して、光ディスク１９０に向かうレーザー光を透過させる。更に、ＰＢＳ膜１２２は、光ディスク１９０からの戻り光を９０°反射させて、ビームスプリッタ１２４と全反射ミラー１２６の方向にレーザー光を導く。また、ビームスプリッタ１２４は、ＰＢＳ膜１２２からのレーザー光のうち一部を９０°反射させる。反射したレーザー光は、ホログラム１１４を介して、受光素子集積回路１３０に導かれる。更に、ビームスプリッタ１２４は、レーザー光の他の一部を透過させて、全反射ミラー１２６の方向にレーザー光を導く。全反射ミラー１２６は、ビームスプリッタ１２４を透過したレーザー光を９０°反射させる。反射したレーザー光は、モールド複合素子１０８を透過して、受光素子集積回路１３０上の受光素子１３６に導かれる。
【００４４】
また、光学系１５０は、図２に示すように、コリメータレンズ１４１と、アナモフィックプリズム１４２と、エキスパンダレンズ１４３と、λ／４板１４４と、２群対物レンズ１４５とを有し、この順番で、モールド複合素子１０８から光ディスク１９０の方向に配列される。コリメータレンズ１４１は、発光素子１１０からのレーザー光を発散光から平行光に変える。アナモフィックプリズム１４２は、コリメータレンズ１４１を透過した平行光の縦横比を変えるなど、光の整形を行う。
【００４５】
エキスパンダレンズ１４３は２群レンズから形成され、その２群のレンズ間の距離を調整することによって、高ＮＡ（開口数）の２群対物レンズ１４５を使用した場合に顕著に現れる球面収差を補正する。λ／４板１４４は、位相差９０°を与えて、直線偏光を円偏光に変え、ディスクで反射して戻ってきた円偏光の光を直線偏光に変える。２群対物レンズ１４５は、例えばＮＡ０．８５であり、エキスパンダレンズ１４３を通過したレーザー光を光ディスク１９０上の信号記録層に集光する。光ディスク１９０上の記録情報によって光強度変調されたレーザー光は、コリメータレンズ１４１から２群対物レンズ１４５までの光路と同一の光路を通過して、積層プリズム１２０のＰＢＳ膜１２２まで戻る。
【００４６】
次に、図４を参照して、本実施形態に係る光集積素子１００の受光素子集積回路１３０について説明する。受光素子集積回路１３０は、６つの受光素子１３１、１３２、１３３、１３４、１３５、１３６を有し、図４に示すように、受光素子集積回路１３０の表面に配置される。受光素子１３１、１３２、１３３、１３４、１３５、１３６の中央部には、図４において楕円で示したように、光ディスク１９０からの戻り光によって生成されたビームスポットが形成される。
【００４７】
受光素子１３１、１３２、１３３、１３４、１３５は、受光素子１３５を中心として、受光素子１３５の各辺に１つずつ受光素子１３１、１３２、１３３、１３４が配置され、積層プリズム１２０のビームスプリッタ１２４で反射し、ホログラム１１４を通過したレーザー光が入射される。受光素子１３１、１３２は、受光素子１３５を挟んで対向する位置関係にあり、受光素子１３３、１３４は、受光素子１３５を挟んで対向する位置関係にある。また、受光素子１３６は、受光素子１３１、１３５、１３２を結んだ軸上に配置され、積層プリズム１２０の全反射ミラー１２６で反射したレーザー光が入射される。
【００４８】
それぞれの受光素子１３１、１３２、１３３、１３４、１３５、１３６は複数の受光領域に分割される。即ち、受光素子１３１、１３２は、受光素子集積回路１３０の長手方向と平行に分割され、受光領域Ａ、Ｗ、Ｂ、受光領域Ｃ、Ｚ、Ｄをそれぞれ有する。受光素子１３１の受光領域Ａ、Ｗ、Ｂは、受光領域Ｗを挟んで両側に受光領域Ａ、Ｂが配置されるように形成される。同様に、受光素子１３２の受光領域Ｃ、Ｚ、Ｄは、受光領域Ｚを挟んで両側に受光領域Ｃ、Ｄが配置されるように形成される。
【００４９】
受光素子１３３、１３４、１３５は、受光素子集積回路１３０の長手方向に対して垂直に分割され、受光領域Ｅ、Ｆ、受光領域Ｇ、Ｈ、受光領域Ｉ、Ｊを有する。受光素子１３６は、受光素子集積回路１３０の長手方向に対して平行及び垂直に４分割され、受光領域Ｏ、Ｐ、Ｑ、Ｒを有する。受光素子集積回路１３０は、各受光領域におけるビームスポットの光量を電気信号に変換し、受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒからは、それぞれ独立したアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒがそれぞれ出力される。
【００５０】
更に、受光素子集積回路１３０は、各受光素子から出力されたアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒに基づいて演算されたサーボエラー信号、和信号、調整用信号を、サーボ制御手段１７０に出力する。受光素子集積回路１３０がサーボ制御手段１７０に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２である。各信号は、以下の演算式によって生成される。
【００５１】
ＳＳＤ−ＦＥ＝（Ａ＋Ｂ＋Ｚ）−（Ｃ＋Ｄ＋Ｗ）
ＳＳＤ−ＰＩ＝（Ａ＋Ｂ＋Ｚ）＋（Ｃ＋Ｄ＋Ｗ）
ＭＰＰ＝Ｉ−Ｊ
ＭＰＩ＝Ｉ＋Ｊ
ＳＰＰ１＝Ｅ−Ｆ
ＳＰＰ２＝Ｇ−Ｈ
ＳＰＤ１＝Ｅ＋Ｆ
ＳＰＤ２＝Ｇ−Ｈ
【００５２】
上記の演算は、受光素子集積回路１３０の内部で行われる。そして、受光素子集積回路１３０から出力されたこれらの信号は、フォーカスエラー信号及びトラッキングエラー信号といったサーボエラー信号について、ＡＧＣ（automatic gain control：自動化されたゲイン制御）を行うために使用される。サーボエラー信号に対してＡＧＣを行い、ＡＧＣを行ったサーボエラー信号を用いることで、レーザー光の発光光量の変化や、光ディスク１９０の記録層での反射率の変化が生じた場合にも、安定化したサーボエラー信号を得ることができる。ＡＧＣを行ったサーボエラー信号は、下記の演算式によって生成される。
【００５３】
ＡＧＣを行ったフォーカスエラー信号
＝ＳＳＤ−ＦＥ／ＳＳＤ−ＰＩ
＝｛（Ａ＋Ｂ＋Ｚ）−（Ｃ＋Ｄ＋Ｗ）｝／｛（Ａ＋Ｂ＋Ｚ）＋（Ｃ＋Ｄ＋Ｗ）｝
ＡＧＣを行ったトラッキングエラー信号
＝ＭＰＰ／ＭＰＩ−Ｋ（ＳＰＰ１／ＳＰＤ１＋ＳＰＰ２／ＳＰＤ２）
＝（Ｉ−Ｊ）／（Ｉ＋Ｊ）−Ｋ｛（Ｅ−Ｆ）／（Ｅ＋Ｆ）＋（Ｇ−Ｈ）／（Ｇ＋Ｈ）｝
但し、Ｋは定数である。
【００５４】
また、受光素子集積回路１３０からは、アナログ出力信号Ｏ、Ｐ、Ｑ、Ｒが受光素子集積回路１３０内で演算されないでそのまま出力される。アナログ出力信号Ｏ、Ｐ、Ｑ、Ｒは、受光素子集積回路１３０の外部にあるＲＦアンプ１２９内の加算回路によって加算され、ＲＦ信号が生成される。また、アナログ出力信号Ｏ、Ｐ、Ｑ、Ｒの位相差を外部の図示しない信号処理回路を用いて検出することによって、ＤＰＤ（differential phase detection）法によりトラッキングエラー信号を得ることができる。
【００５５】
更に、受光素子集積回路１３０は、各受光素子から出力されたアナログ出力信号Ａ、Ｂ、Ｃ、Ｄに基づいて演算された調整用信号Ｙ１、Ｙ２を外部に出力する。調整用信号Ｙ１、Ｙ２は、光ディスク駆動装置製造時において、受光素子集積回路１３０上のビームスポットの位置を調整するための信号である。調整用信号Ｙ１、Ｙ２は、下記の演算式によって生成される。
【００５６】
Ｙ１（Ｙ−ｐｏｓｉｔｉｏｎ信号）
＝Ａ−Ｂ
Ｙ２（Ｙ−ｐｏｓｉｔｉｏｎ信号）
＝Ｄ−Ｃ
【００５７】
以上をまとめると、受光素子集積回路１３０が外部に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２と、アナログ出力信号Ｏ、Ｐ、Ｑ、Ｒと、調整用信号Ｙ１、Ｙ２であり、総計１４種類の信号がある。
【００５８】
次に、本実施形態に係る受光素子集積回路の各端子について説明する。受光素子集積回路１３０は、端子として、電源端子Ｖｃｃ、Ｖｃ、ＧＮＤと、入力端子Ｔｉｍｉｎｇ１、Ｔｉｍｉｎｇ２と、出力端子ＳＰＰ１、ＳＰＰ２、ＭＰＰ、Ｏ、Ｐ、Ｑ、Ｒ、ＳＳＤ−ＦＥ、Ｍｕｌｔｉ−ｏｕｔとを有し、総計１４の端子から構成される。
【００５９】
電源端子Ｖｃｃには＋５Ｖ、電源端子Ｖｃには基準電圧である＋２．５Ｖの電圧が供給され、電源端子ＧＮＤは接地される。また、入力端子Ｔｉｍｉｎｇ１、Ｔｉｍｉｎｇ２には、外部からタイミング信号Ｔｉｍｉｎｇ１、Ｔｉｍｉｎｇ２が入力される。出力端子ＳＳＤ−ＦＥ、ＭＰＰ、ＳＰＰ１、ＳＰＰ２、Ｏ、Ｐ、Ｑ、Ｒからは、１つの端子につき１つの信号が出力される。即ち、出力端子ＳＳＤ−ＦＥ、ＭＰＰ、ＳＰＰ１、ＳＰＰ２、Ｏ、Ｐ、Ｑ、Ｒからは、それぞれフォーカスエラー信号ＳＳＤ−ＦＥ、メインのプッシュプル信号ＭＰＰ、サイドのプッシュプル信号ＳＰＰ１、ＳＰＰ２、アナログ出力信号Ｏ、Ｐ、Ｑ、Ｒがそのまま出力される。
【００６０】
一方、出力端子Ｍｕｌｔｉ−ｏｕｔからは、図５に示すように、メインの和信号ＭＰＩ、フォーカスエラー信号のための和信号ＳＳＤ−ＰＩ、サイドの和信号ＳＰＤ１、ＳＰＤ２、調整用信号Ｙ１、Ｙ２が時分割され、多重化されてサーボ制御手段１７０に出力される。以下に、図５を参照して、本実施形態に係る時分割多重化による信号出力を説明する。タイミング信号Ｔｉｍｉｎｇ１は、サンプリング時間Ｔｓ毎に立ち上がる。また、タイミング信号Ｔｉｍｉｎｇ２は、サンプリング時間Ｔｓを６分割した時間毎に立ち上がる。まず、タイミング信号Ｔｉｍｉｎｇ１及びタイミング信号Ｔｉｍｉｎｇ２が立ち上がると、同時に出力端子Ｍｕｌｔｉ−ｏｕｔからは、和信号ＭＰＩが出力され、次のタイミング信号Ｔｉｍｉｎｇ２が立ち上がる時まで和信号ＭＰＩが継続して出力される。
【００６１】
そして、次のタイミング信号Ｔｉｍｉｎｇ２が立ち上がると、出力される信号が切り替わって、出力端子Ｍｕｌｔｉ−ｏｕｔからは、和信号ＳＳＤ−ＰＩが出力される。以降、出力端子Ｍｕｌｔｉ−ｏｕｔからは、タイミング信号Ｔｉｍｉｎｇ２の立ち上がり時に、和信号ＳＰＤ１→和信号ＳＰＤ２→調整用信号Ｙ１→調整用信号Ｙ２→和信号ＭＰＩのように順次切り替えられて、それぞれの信号が出力される。即ち、１本の信号線に和信号及び調整用信号の６種類の信号が伝送される。これらの信号のサンプリング時間は、Ｔｓで表される。
【００６２】
多重化されて出力された各信号は、信号復元回路基板１７２において復元される。図５の下段には、出力端子Ｍｕｌｔｉ−ｏｕｔから出力された後、図１の信号復元回路基板１７２を用いて復元された和信号ＭＰＩ、ＳＳＤ−ＰＩ、ＳＰＤ１、ＳＰＤ２、調整用信号Ｙ１、Ｙ２を示す。例えば、和信号ＭＰＩを復元する場合には、出力端子Ｍｕｌｔｉ−ｏｕｔから出力された多重化された信号において、和信号ＭＰＩが出力されているタイミングで和信号ＭＰＩをサンプリングする。そして、和信号ＭＰＩのサンプリングが終了する時点から次にＭＰＩが出力されるまでの時間、即ちサンプリング時間Ｔｓから、和信号ＭＰＩをサンプリングする時間を差し引いた時間の間、信号レベルを維持し続ける（ホールド動作）。以上のような処理によって、和信号ＭＰＩを復元することができる。また、和信号ＳＳＤ−ＰＩ、ＳＰＤ１、ＳＰＤ２、調整用信号Ｙ１、Ｙ２についても同様の処理を行うことにより、各信号を復元することができる。
【００６３】
次に、図６及び図７を参照して、出力信号を元の連続した信号に復元する場合の各信号の周波数特性について説明する。図６は、本実施形態において出力される信号のゲインを示すボード線図である。図７は、本実施形態において出力される信号の位相ずれを示すボード線図である。
【００６４】
上記の時分割多重化されて出力された和信号ＭＰＩ、ＳＳＤ−ＰＩ、ＳＰＤ１、ＳＰＤ２、調整用信号Ｙ１、Ｙ２を元の連続した信号に復元する場合、図６及び図７に示すように、サンプリング時間Ｔｓの長さに応じて、零次ホールドによるゲイン低下、位相遅れが生じる。例えば、本実施形態においてサンプリング時間Ｔｓを１×１０−５秒とすると、図６に示すように、周波数１０ｋＨｚでは、ゲイン低下は約０．１５ｄＢである。約０．１５ｄＢのゲイン低下は、多重化された信号を復元した和信号ＭＰＩ、ＳＳＤ−ＰＩ、ＳＰＤ１、ＳＰＤ２、調整用信号Ｙ１、Ｙ２を演算に使用することができる程度の低下である。
【００６５】
サーボエラー信号ＭＰＰ、ＳＰＰ１、ＳＰＰ２、ＳＳＤ−ＦＥの出力は、各サーボエラー信号の周波数特性がサーボ特性に直接的に影響するが、和信号ＭＰＩ、ＳＰＤ１、ＳＰＤ２、ＳＳＤ−ＰＩと、調整用信号Ｙ１、Ｙ２は、サーボエラー信号ＭＰＰ、ＳＰＰ１、ＳＰＰ２、ＳＳＤ−ＦＥに比べて、周波数特性の影響を受けにくい。そのため、各サーボエラー信号の出力の高域での位相特性を重視した多重化を行うことができる。つまり、上述したとおり、和信号ＭＰＩ、ＳＳＤ−ＰＩ、ＳＰＤ１、ＳＰＤ２、調整用信号Ｙ１、Ｙ２という６つの出力信号は、サーボエラー信号と比べて周波数特性の影響を受けにくいので、出力する時間を相対的に短くすることにより効率良く多重化して出力することができる。
【００６６】
以上をまとめると、本発明の第１の実施形態に係る受光素子集積回路１３０に設けられる端子は、電源端子Ｖｃｃ、Ｖｃ、ＧＮＤと、入力端子Ｔｉｍｉｎｇ１、Ｔｉｍｉｎｇ２と、出力端子ＳＰＰ１、ＳＰＰ２、ＭＰＰ、Ｏ、Ｐ、Ｑ、Ｒ、ＳＳＤ−ＦＥ、Ｍｕｌｔｉ−ｏｕｔの総計１４本の端子である。一方、図２０に示すように、従来技術で出力信号を多重化せずに出力した場合、受光素子集積回路３０に設けられる端子は、総計１７本である。従って、本実施形態では、受光素子集積回路１３０に設けられる端子数を減少させて、受光素子集積回路１３０を小型化することができる。更に端子に接続される信号線の数も低減するため、光ディスク駆動装置を小型化し、製造コストを縮減することができる。
【００６７】
（第２の実施形態）
次に、本発明の第２の実施形態に係る光ディスク駆動装置について説明する。本実施形態の光ディスク駆動装置は、受光素子集積回路２３０以外の構成要素については、本発明の第１の実施形態と同一の機能構成を有するため、詳細な説明は省略する。まず、図８を参照して、本実施形態に係る光集積素子１００の受光素子集積回路２３０の構成について説明する。図８は、本実施形態に係る受光素子集積回路２３０を示す平面図である。
【００６８】
受光素子集積回路２３０は、本発明の第１の実施形態に係る受光素子集積回路１３０と同様に、６つの受光素子１３１、１３２、１３３、１３４、１３５、１３６を有し、図８に示すように、受光素子集積回路２３０の表面に配置される。受光素子１３１、１３２、１３３、１３４、１３５の位置関係、及び各受光素子に形成される受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒについても、第１の実施形態と同様である。
【００６９】
更に、第１の実施形態と同様に、受光素子集積回路２３０は、各受光領域におけるビームスポットの光量を電気信号に変換し、受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒからは、それぞれ独立したアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒがそれぞれ出力される。そして、受光素子集積回路２３０は、各受光素子から出力されたアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒに基づいて演算されたサーボエラー信号、和信号、調整用信号をサーボ制御手段１７０に出力する。
【００７０】
受光素子集積回路２３０がサーボ制御手段１７０に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２である。各信号は、第１の実施形態の説明と同一の演算式によって生成される。
【００７１】
上記の演算は、受光素子集積回路２３０の内部で行われる。そして、受光素子集積回路２３０から出力されたこれらの信号は、フォーカスエラー信号及びトラッキングエラー信号といったサーボエラー信号について、ＡＧＣ（automatic gain control）を行うために使用される。サーボエラー信号に対してＡＧＣを行い、ＡＧＣを行ったサーボエラー信号を用いることで、レーザー光の発光光量の変化や、光ディスク１９０の記録層での反射率の変化が生じた場合にも、安定化したサーボエラー信号を得ることができる。ＡＧＣを行ったサーボエラー信号は、第１の実施形態の説明と同一の演算式によって生成される。
【００７２】
また、受光素子集積回路２３０からは、アナログ出力信号Ｏ、Ｐ、Ｑ、Ｒが受光素子集積回路２３０内で演算されないでそのまま出力される。アナログ出力信号Ｏ、Ｐ、Ｑ、Ｒは、受光素子集積回路２３０の外部にあるＲＦアンプ１２９内の加算回路によって加算され、ＲＦ信号が生成される。また、アナログ出力信号Ｏ、Ｐ、Ｑ、Ｒの位相差を外部の図示しない信号処理回路を用いて検出することによって、ＤＰＤ（differential phase detection）法によりトラッキングエラー信号を得ることができる。
【００７３】
更に、受光素子集積回路２３０は、各受光素子から出力されたアナログ出力信号Ａ、Ｂ、Ｃ、Ｄに基づいて演算された調整用信号Ｙ１、Ｙ２を外部に出力する。調整用信号Ｙ１、Ｙ２は、光ディスク駆動装置製造時において、受光素子集積回路２３０上のビームスポットの位置を調整するための信号である。調整用信号Ｙ１、Ｙ２は、第１の実施形態と同一の演算式によって生成される。
【００７４】
以上をまとめると、受光素子集積回路２３０が外部に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２と、アナログ出力信号Ｏ、Ｐ、Ｑ、Ｒと、調整用信号Ｙ１、Ｙ２であり、総計１４種類の信号がある。
【００７５】
次に、図８を参照して、本実施形態に係る受光素子集積回路の各端子について説明する。受光素子集積回路２３０は、端子として、電源端子Ｖｃｃ、Ｖｃ、ＧＮＤと、入力端子Ｔｉｍｉｎｇ１、Ｔｉｍｉｎｇ２と、出力端子Ｓｕｍ＿ｍｕｌｔｉ、Ｓｅｒｖｏ１＿ｍｕｌｔｉ、Ｓｅｒｖｏ２＿ｍｕｌｔｉ、Ｏ、Ｐ、Ｑ、Ｒとを有し、総計１２の端子から構成される。
【００７６】
電源端子Ｖｃｃには＋５Ｖ、電源端子Ｖｃには基準電圧である＋２．５Ｖの電圧が供給され、電源端子ＧＮＤは接地される。また、入力端子Ｔｉｍｉｎｇ１、Ｔｉｍｉｎｇ２には、外部からタイミング信号Ｔｉｍｉｎｇ１、Ｔｉｍｉｎｇ２が入力される。出力端子Ｏ、Ｐ、Ｑ、Ｒからは、１つの端子につき１つの信号が出力される。即ち、出力端子Ｏ、Ｐ、Ｑ、Ｒからは、それぞれアナログ出力信号Ｏ、Ｐ、Ｑ、Ｒが出力される。
【００７７】
出力端子Ｓｕｍ＿ｍｕｌｔｉからは、図９に示すように、メインの和信号ＭＰＩ、フォーカスエラー信号のための和信号ＳＳＤ−ＰＩ、サイドの和信号ＳＰＤ１、ＳＰＤ２、調整用信号Ｙ１、Ｙ２が時分割され、多重化されてサーボ制御手段１７０に出力される。また、出力端子Ｓｅｒｖｏ１＿ｍｕｌｔｉからは、サーボエラー信号のうちメインのプッシュプル信号ＭＰＰと、フォーカスエラー信号ＳＳＤ−ＦＥが時分割多重化されて、サーボ制御手段１７０に出力され、出力端子Ｓｅｒｖｏ２＿ｍｕｌｔｉからは、サーボエラー信号のうちサイドのプッシュプル信号ＳＰＰ１、ＳＰＰ２が時分割多重化されて、サーボ制御手段１７０に出力される。
【００７８】
以下に、図９を参照して、本実施形態に係る時分割多重化による信号出力を説明する。タイミング信号Ｔｉｍｉｎｇ１は、サンプリング時間Ｔｓｕｍ毎に立ち上がる。また、タイミング信号Ｔｉｍｉｎｇ２は、サンプリング時間Ｔｓを６分割した時間毎に立ち上がる。まず、タイミング信号Ｔｉｍｉｎｇ１及びタイミング信号Ｔｉｍｉｎｇ２が立ち上がると、同時に出力端子Ｓｕｍ＿ｍｕｌｔｉからは、和信号ＭＰＩが出力され、次のタイミング信号Ｔｉｍｉｎｇ２が立ち上がる時まで和信号ＭＰＩが継続して出力される。そして、次のタイミング信号Ｔｉｍｉｎｇ２が立ち上がると、出力される信号が切り替わって、出力端子Ｓｕｍ＿ｍｕｌｔｉからは、和信号ＳＳＤ−ＰＩが出力される。以降、出力端子Ｓｕｍ＿ｍｕｌｔｉからは、タイミング信号Ｔｉｍｉｎｇ２の立ち上がり時に、和信号ＳＰＤ１→和信号ＳＰＤ２→調整用信号Ｙ１→調整用信号Ｙ２→和信号ＭＰＩのように順次切り替えられて、それぞれの信号が出力される。即ち、１本の信号線に和信号及び調整用信号の６種類の信号が伝送される。これらの信号のサンプリング時間は、Ｔｓｕｍで表される。
【００７９】
一方、出力端子Ｓｅｒｖｏ１＿ｍｕｌｔｉからは、タイミング信号Ｔｉｍｉｎｇ１及びタイミング信号Ｔｉｍｉｎｇ２が立ち上がると、メインのプッシュプル信号ＭＰＰが出力され、次のタイミング信号Ｔｉｍｉｎｇ２が立ち上がる時までメインのプッシュプル信号ＭＰＰが継続して出力される。そして、次のタイミング信号Ｔｉｍｉｎｇ２が立ち上がると、出力される信号が切り替わって、出力端子Ｓｅｒｖｏ１＿ｍｕｌｔｉからは、フォーカスエラー信号ＳＳＤ−ＦＥが出力される。以降、出力端子Ｓｅｒｖｏ１＿ｍｕｌｔｉからは、タイミング信号Ｔｉｍｉｎｇ２の立ち上がり時に、ＭＰＰ→ＳＳＤ−ＦＥ→ＭＰＰのように順次切り替えられて、交互にそれぞれの信号が出力される。即ち、１本の信号線に２種類の信号が伝送される。各信号のサンプリング時間は、図９に示すように、Ｔｓ１で表される。
【００８０】
また、出力端子Ｓｅｒｖｏ１＿ｍｕｌｔｉからは、タイミング信号Ｔｉｍｉｎｇ１及びタイミング信号Ｔｉｍｉｎｇ２が立ち上がると、サイドのプッシュプル信号ＳＰＰ１が出力され、次のタイミング信号Ｔｉｍｉｎｇ２が立ち上がる時までサイドのプッシュプル信号ＳＰＰ１が継続して出力される。そして、次のタイミング信号Ｔｉｍｉｎｇ２が立ち上がると、出力される信号が切り替わって、出力端子Ｓｅｒｖｏ２＿ｍｕｌｔｉからは、サイドのプッシュプル信号ＳＰＰ２が出力される。以降、出力端子Ｓｅｒｖｏ２＿ｍｕｌｔｉからは、タイミング信号Ｔｉｍｉｎｇ２の立ち上がり時に、ＳＰＰ１→ＳＰＰ２→ＳＰＰ１のように順次切り替えられて、交互にそれぞれの信号が出力される。即ち、１本の信号線に２種類の信号が伝送される。各信号のサンプリング時間は、図９に示すように、Ｔｓ２で表される。なお、各多重化された信号から元の信号に復元する処理方法に関しては、上述した第１の実施形態の場合と同様である。
【００８１】
次に、図６及び図７を参照して、出力信号を元の連続した信号に復元する場合の各信号の周波数特性について説明する。図６は、本発明の第１の実施形態において出力される信号のゲインを示すボード線図である。図７は、同実施形態において出力される信号の位相ずれを示すボード線図である。これらのボード線図は、第１の実施形態のボード線図であるが、図中のＴｓをＴｓｕｍ、Ｔｓ１、Ｔｓ２と読み替えることによって、第２の実施形態に適用することができる。
【００８２】
上記の時分割多重化されて出力されたサーボエラー信号ＭＰＰ、ＳＳＤ−ＦＥ、ＳＰＰ１、ＳＰＰ２と、和信号ＭＰＩ、ＳＳＤ−ＰＩ、ＳＰＤ１、ＳＰＤ２と、調整用信号Ｙ１、Ｙ２を元の連続した信号に復元する場合、図６及び図７に示すように、サンプリング時間Ｔｓｕｍ、Ｔｓ１、Ｔｓ２の長さに応じて、零次ホールドによるゲイン低下、位相遅れが生じる。例えば、本実施形態においてサーボエラー信号のサンプリング時間Ｔｓ１、Ｔｓ２を１×１０−６秒とすると、図７に示すように、周波数１０ｋＨｚでは、位相遅れは約２°である。約２°の遅れは、多重化された信号を復元したサーボエラー信号を使用することができる程度の低下である。従って、上述したとおり、サーボエラー信号は、多重化して出力することができる。
【００８３】
また、サーボエラー信号のサンプリング時間Ｔｓ１、Ｔｓ２を１×１０−６秒としたときの、和信号のサンプリング時間Ｔｓｕｍは、３×１０−６秒となる。このときの和信号のゲイン低下は、図６に示すとおりとなり、周波数１０ｋＨｚでは、ゲイン低下は約０．１５ｄＢである。約０．１５ｄＢのゲイン低下は、多重化された信号を復元した和信号ＭＰＩ、ＳＳＤ−ＰＩ、ＳＰＤ１、ＳＰＤ２、調整用信号Ｙ１、Ｙ２を演算に使用することができる程度の低下である。
【００８４】
サーボエラー信号ＭＰＰ、ＳＰＰ１、ＳＰＰ２、ＳＳＤ−ＦＥの出力は、各サーボエラー信号の周波数特性がサーボ特性に直接的に影響するが、和信号ＭＰＩ、ＳＰＤ１、ＳＰＤ２、ＳＳＤ−ＰＩと、調整用信号Ｙ１、Ｙ２は、サーボエラー信号ＭＰＰ、ＳＰＰ１、ＳＰＰ２、ＳＳＤ−ＦＥに比べて、周波数特性の影響を受けにくい。そのため、各サーボエラー信号の出力の高域での位相特性を重視した多重化を行うことができる。つまり、上述したとおり、和信号ＭＰＩ、ＳＳＤ−ＰＩ、ＳＰＤ１、ＳＰＤ２、調整用信号Ｙ１、Ｙ２という６つの出力信号は、サーボエラー信号と比べて周波数特性の影響を受けにくいので、出力する時間を相対的に短くすることにより効率良く多重化して出力することができる。
【００８５】
以上をまとめると、本発明の第２の実施形態に係る受光素子集積回路２３０に設けられる端子は、電源端子Ｖｃｃ、Ｖｃ、ＧＮＤと、入力端子Ｔｉｍｉｎｇ１、Ｔｉｍｉｎｇ２と、出力端子Ｓｕｍ＿ｍｕｌｔｉ、Ｓｅｒｖｏ１＿ｍｕｌｔｉ、Ｓｅｒｖｏ２＿ｍｕｌｔｉ、Ｏ、Ｐ、Ｑ、Ｒの総計１２本の端子である。一方、図２０に示すように、従来技術で出力信号を多重化せずに出力した場合、受光素子集積回路３０に設けられる端子は、総計１７本である。従って、本実施形態では、受光素子集積回路２３０に設けられる端子数を減少させ、受光素子集積回路２３０を小型化することができる。更に端子に接続される信号線の数も低減するため、光ディスク駆動装置を小型化し、製造コストを縮減することができる。
【００８６】
（第３の実施形態）
次に、本発明の第３の実施形態に係る光ディスク駆動装置について説明する。本実施形態の光ディスク駆動装置は、受光素子集積回路３３０以外の構成要素については、本発明の第１の実施形態と同一の機能構成を有するため、詳細な説明は省略する。まず、図１０を参照して、本実施形態に係る光集積素子１００の受光素子集積回路３３０の構成について説明する。図１０は、本実施形態に係る受光素子集積回路３３０を示す平面図である。
【００８７】
受光素子集積回路３３０は、本発明の第１の実施形態に係る受光素子集積回路１３０と同様に、６つの受光素子１３１、１３２、１３３、１３４、１３５、１３６を有し、図１０に示すように、受光素子集積回路３３０の表面に配置される。受光素子１３１、１３２、１３３、１３４、１３５の位置関係、及び各受光素子に形成される受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒについても、第１の実施形態と同様である。
【００８８】
更に、第１の実施形態と同様に、受光素子集積回路３３０は、各受光領域におけるビームスポットの光量を電気信号に変換し、受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒからは、それぞれ独立したアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒがそれぞれ出力される。そして、受光素子集積回路３３０は、各受光素子から出力されたアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒに基づいて演算されたサーボエラー信号、和信号、調整用信号をサーボ制御手段１７０に出力する。
【００８９】
受光素子集積回路３３０がサーボ制御手段１７０に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２である。各信号は、第１の実施形態の説明と同一の演算式によって生成される。
【００９０】
上記の演算は、受光素子集積回路３３０の内部で行われる。そして、受光素子集積回路３３０から出力されたこれらの信号は、フォーカスエラー信号及びトラッキングエラー信号といったサーボエラー信号について、ＡＧＣ（automatic gain control）を行うために使用される。サーボエラー信号に対してＡＧＣを行い、ＡＧＣを行ったサーボエラー信号用いることで、レーザー光の発光光量の変化や、光ディスク１９０の記録層での反射率の変化が生じた場合にも、安定化したサーボエラー信号を得ることができる。ＡＧＣを行ったサーボエラー信号は、第１の実施形態の説明と同一の演算式によって生成される。
【００９１】
また、受光素子集積回路３３０からは、アナログ出力信号Ｏ、Ｐ、Ｑ、Ｒが受光素子集積回路３３０内で演算されないでそのまま出力される。アナログ出力信号Ｏ、Ｐ、Ｑ、Ｒは、受光素子集積回路３３０の外部にあるＲＦアンプ１２９内の加算回路によって加算され、ＲＦ信号が生成される。また、アナログ出力信号Ｏ、Ｐ、Ｑ、Ｒの位相差を外部の図示しない信号処理回路を用いて検出することによって、ＤＰＤ（differential phase detection）法によりトラッキングエラー信号を得ることができる。
【００９２】
更に、受光素子集積回路３３０は、各受光素子から出力されたアナログ出力信号Ａ、Ｂ、Ｃ、Ｄに基づいて演算された調整用信号Ｙ１、Ｙ２を外部に出力する。調整用信号Ｙ１、Ｙ２は、光ディスク駆動装置製造時において、受光素子集積回路３３０上のビームスポットの位置を調整するための信号である。調整用信号Ｙ１、Ｙ２は、第１の実施形態と同一の演算式によって生成される。
【００９３】
以上をまとめると、受光素子集積回路３３０が外部に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２と、アナログ出力信号Ｏ、Ｐ、Ｑ、Ｒと、調整用信号Ｙ１、Ｙ２であり、総計１４種類の信号がある。
【００９４】
次に、図１０を参照して、本実施形態に係る受光素子集積回路の各端子について説明する。受光素子集積回路３３０は、端子として、電源端子Ｖｃｃ、Ｖｃ、ＧＮＤと、入力端子Ｔｉｍｉｎｇと、出力端子Ｍａｉｎ＿ｍｕｌｔｉ、Ｓｉｄｅ１＿ｍｕｌｔｉ、Ｓｉｄｅ２＿ｍｕｌｔｉ、ＳＳＤ＿ｍｕｌｔｉ、Ｏ、Ｐ、Ｑ、Ｒとを有し、総計１２の端子から構成される。
【００９５】
電源端子Ｖｃｃには＋５Ｖ、電源端子Ｖｃには基準電圧である＋２．５Ｖの電圧が供給され、電源端子ＧＮＤは接地される。また、入力端子Ｔｉｍｉｎｇには、外部からタイミング信号Ｔｉｍｉｎｇが入力される。出力端子Ｏ、Ｐ、Ｑ、Ｒからは、１つの端子につき１つの信号が出力される。即ち、出力端子Ｏ、Ｐ、Ｑ、Ｒからは、それぞれアナログ出力信号Ｏ、Ｐ、Ｑ、Ｒが出力される。
【００９６】
出力端子Ｍａｉｎ＿ｍｕｌｔｉからは、図１１に示すように、サーボエラー信号のうちメインのプッシュプル信号ＭＰＰとメインの和信号ＭＰＩが時分割され、多重化されてサーボ制御手段１７０に出力される。また、出力端子Ｓｉｄｅ１＿ｍｕｌｔｉからは、サーボエラー信号のうちサイドのプッシュプル信号ＳＰＰ１と、サイドの和信号ＳＰＤ１と、調整用信号Ｙ１が時分割多重化されて、サーボ制御手段１７０に出力される。出力端子Ｓｉｄｅ２＿ｍｕｌｔｉからは、サーボエラー信号のうちサイドのプッシュプル信号ＳＰＰ２と、サイドの和信号ＳＰＤ２と、調整用信号Ｙ２が時分割多重化されて、サーボ制御手段１７０に出力される。更に、出力端子ＳＳＤ＿ｍｕｌｔｉからは、サーボエラー信号のうちのフォーカスエラー信号ＳＳＤ−ＦＥと、フォーカスエラー信号のための和信号ＳＳＤ−ＰＩが時分割多重化されて、サーボ制御手段１７０に出力される。
【００９７】
以下に、図１１を参照して、本実施形態に係る時分割多重化による信号出力を説明する。タイミング信号Ｔｉｍｉｎｇは、図１１に示すように、ＬｏｗからＨｉｇｈの状態に変化した後、和信号出力時間Ｔｉｎｔｓｕｍの間だけＨｉｇｈ状態を継続する。その後、タイミング信号Ｔｉｍｉｎｇは、ＨｉｇｈからＬｏｗの状態に変化する。更に、タイミング信号Ｔｉｍｉｎｇは、Ｌｏｗ状態に変化してから、サーボエラー信号出力時間Ｔｉｎｔｐｐの間、Ｌｏｗ状態を継続する。次に、タイミング信号Ｔｉｍｉｎｇは、ＬｏｗからＭｉｄｄｌｅの状態に変化し、和信号出力時間Ｔｉｎｔｓｕｍの間だけＭｉｄｄｌｅ状態を継続する。その後、タイミング信号Ｔｉｍｉｎｇは、ＭｉｄｄｌｅからＬｏｗの状態に変化する。更に、タイミング信号Ｔｉｍｉｎｇは、Ｌｏｗ状態に変化してから、サーボエラー信号出力時間Ｔｉｎｔｐｐの間、Ｌｏｗ状態を継続する。以降、タイミング信号Ｔｉｍｉｎｇは、同様に、Ｌｏｗ→Ｈｉｇｈ→Ｌｏｗ→Ｍｉｄｄｌｅ→Ｌｏｗを繰り返す。
【００９８】
まず、出力端子Ｍａｉｎ＿ｍｕｌｔｉからは、タイミング信号Ｔｉｍｉｎｇが立ち上がると、和信号ＭＰＩが出力され、タイミング信号Ｔｉｍｉｎｇが立ち下がる時まで和信号ＭＰＩが継続して出力される。そして、タイミング信号Ｔｉｍｉｎｇが立ち下がると、出力される信号が切り替わって、出力端子Ｍａｉｎ＿ｍｕｌｔｉからは、メインのプッシュプル信号ＭＰＰが出力される。以降、出力端子Ｍａｉｎ＿ｍｕｌｔｉからは、タイミング信号Ｔｉｍｉｎｇの立ち上がり時に、和信号ＭＰＩが出力され、タイミング信号Ｔｉｍｉｎｇの立ち下り時に、メインのプッシュプル信号ＭＰＰが出力される。即ち、１本の信号線に和信号ＭＰＩ及びメインのプッシュプル信号ＭＰＰの２種類の信号が伝送される。
【００９９】
一方、出力端子Ｓｉｄｅ１＿ｍｕｌｔｉからは、タイミング信号ＴｉｍｉｎｇがＨｉｇｈに立ち上がると、サイドの和信号ＳＰＤ１が出力され、タイミング信号Ｔｉｍｉｎｇが立ち下がる時まで和信号ＳＰＤ１が継続して出力される。そして、タイミング信号Ｔｉｍｉｎｇが立ち下がると、出力される信号が切り替わって、出力端子Ｓｉｄｅ１＿ｍｕｌｔｉからは、サイドのプッシュプル信号ＳＰＰ１が出力される。次に、タイミング信号ＴｉｍｉｎｇがＭｉｄｄｌｅに立ち上がると、調整用信号Ｙ１が出力され、タイミング信号Ｔｉｍｉｎｇが立ち下がる時まで調整用信号Ｙ１が継続して出力される。そして、タイミング信号Ｔｉｍｉｎｇが立ち下がると、出力される信号が切り替わって、出力端子Ｓｉｄｅ１＿ｍｕｌｔｉからは、サイドのプッシュプル信号ＳＰＰ１が出力される。以降、出力端子Ｓｉｄｅ１＿ｍｕｌｔｉからは、ＳＰＤ１（Ｈｉｇｈ状態）→ＳＰＰ１→Ｙ１（Ｍｉｄｄｌｅ状態）→ＳＰＰ１→ＳＰＤ１（Ｈｉｇｈ状態）のように順次切り替えられて、それぞれの信号が伝送される。即ち、１本の信号線に３種類の信号が伝送される。
【０１００】
同様に、出力端子Ｓｉｄｅ２＿ｍｕｌｔｉからは、タイミング信号ＴｉｍｉｎｇがＨｉｇｈに立ち上がると、サイドの和信号ＳＰＤ２が出力され、タイミング信号Ｔｉｍｉｎｇが立ち下がる時まで和信号ＳＰＤ２が継続して出力される。そして、タイミング信号Ｔｉｍｉｎｇが立ち下がると、出力される信号が切り替わって、出力端子Ｓｉｄｅ２＿ｍｕｌｔｉからは、サイドのプッシュプル信号ＳＰＰ２が出力される。次に、タイミング信号ＴｉｍｉｎｇがＭｉｄｄｌｅに立ち上がると、調整用信号Ｙ２が出力され、タイミング信号Ｔｉｍｉｎｇが立ち下がる時まで調整用信号Ｙ２が継続して出力される。そして、タイミング信号Ｔｉｍｉｎｇが立ち下がると、出力される信号が切り替わって、出力端子Ｓｉｄｅ２＿ｍｕｌｔｉからは、サイドのプッシュプル信号ＳＰＰ２が出力される。以降、出力端子Ｓｉｄｅ２＿ｍｕｌｔｉからは、ＳＰＤ２（Ｈｉｇｈ状態）→ＳＰＰ２→Ｙ２（Ｍｉｄｄｌｅ状態）→ＳＰＰ２→ＳＰＤ２（Ｈｉｇｈ状態）のように順次切り替えられて、それぞれの信号が伝送される。即ち、１本の信号線に３種類の信号が伝送される。
【０１０１】
出力端子ＳＳＤ＿ｍｕｌｔｉからは、タイミング信号Ｔｉｍｉｎｇが立ち上がると、フォーカスエラー信号のための和信号ＳＳＤ−ＰＩが出力され、タイミング信号Ｔｉｍｉｎｇが立ち下がる時まで和信号ＳＳＤ−ＰＩが継続して出力される。そして、タイミング信号Ｔｉｍｉｎｇが立ち下がると、出力される信号が切り替わって、出力端子ＳＳＤ＿ｍｕｌｔｉからは、フォーカスエラー信号ＳＳＤ−ＦＥが出力される。以降、出力端子Ｍａｉｎ＿ｍｕｌｔｉからは、タイミング信号Ｔｉｍｉｎｇの立ち上がり時に、和信号ＳＳＤ−ＰＩが出力され、タイミング信号Ｔｉｍｉｎｇの立ち下り時に、フォーカスエラー信号ＳＳＤ−ＦＥが出力される。即ち、１本の信号線に和信号ＳＳＤ−ＰＩ及びフォーカスエラー信号ＳＳＤ−ＦＥの２種類の信号が伝送される。なお、各多重化された信号ＭＰＩ、ＳＰＤ１、ＳＰＤ２、ＳＳＤ−ＰＩ、Ｙ１、Ｙ２から元の信号に復元する処理方法に関しては、上述した第１の実施形態の場合と同様である。
【０１０２】
次に、図６及び図７を参照して、出力信号を元の連続した信号に復元する場合の各信号の周波数特性について説明する。図６は、本発明の第１の実施形態において出力される信号のゲインを示すボード線図である。図７は、同実施形態において出力される信号の位相ずれを示すボード線図である。これらのボード線図は、第１の実施形態のボード線図であるが、図中のＴｓをＴｉｎｔｐｐ＋Ｔｉｎｔｓｕｍと読み替えることによって、第３の実施形態に適用することができる。
【０１０３】
和信号及び調整用信号が出力される和信号出力時間Ｔｉｎｔｓｕｍを、例えば５×１０−６秒とし、サーボエラー信号が出力されるサーボ信号出力時間Ｔｉｎｔｐｐを、例えば１×１０−４秒とする。このとき、サーボエラー信号ＭＰＰ、ＳＰＰ１、ＳＰＰ２、ＳＳＤ−ＦＥは、和信号出力時間Ｔｉｎｔｓｕｍの間、外部に信号が出力されない。そのため、和信号が出力される和信号出力時間Ｔｉｎｔｓｕｍの期間は、正確なサーボエラー信号は得られない。しかし、図１１のフォーカスドライブ信号及びトラッキングドライブ信号の列で示すように、和信号出力時間Ｔｉｎｔｓｕｍの間は、ドライブ電流として、ＬＰＦ（low pass
filter）後のドライブ電流を出し続ける、いわゆるサーボホールドを行うことにより、和信号出力時間Ｔｉｎｔｓｕｍが５×１０−６秒であれば、サーボの安定性や取れ残りに支障が生じることはない。なお、図１２には、図１の信号復元回路基板１７２内で構成される、サーボホールド動作を実現する回路構成を示す。サーボドライブ信号であるフォーカスドライブ信号又はトラッキングドライブ信号は、タイミング信号ＴｉｍｉｎｇがＨｉｇｈ又はＭｉｄｄｌｅのとき切り替えられて、ＬＰＦ（low pass filter）を通過し、ホールド動作が行われるように構成されている。なお、上述の実施形態においては、フォーカスドライブ信号、及びトラッキングドライブ信号をホールドするように構成したが、代わりにサーボエラー信号ＭＰＰ、ＳＰＰ１、ＳＰＰ２、ＳＳＤ−ＦＥの各信号について、図１２と同様の回路によってホールドする構成にしてもよい。また、各サーボエラー信号とサーボドライブ信号を同時にホールドする構成にしてもよく、この構成にすることによって更にサーボが安定化する可能性がある。
【０１０４】
一方、和信号ＭＰＩ、ＳＰＤ１、ＳＰＤ２、ＳＳＤ−ＰＩと、調整用信号Ｙ１、Ｙ２を元の連続した信号に復元する場合、図６及び図７に示すように、サンプリング時間Ｔｉｎｔｐｐ＋Ｔｉｎｔｓｕｍの長さに応じて、零次ホールドによるゲイン低下、位相遅れが生じる。例えば、本実施形態においては、サンプリング時間Ｔｉｎｔｐｐ＋Ｔｉｎｔｓｕｍは１×１０−４＋５×１０−６秒であり、図６に示すように、周波数１ｋＨｚでは、ゲイン低下は約０．１５ｄＢである。約０．１５ｄＢの低下は、多重化された信号を復元したサーボエラー信号を使用することができる程度の低下である。
【０１０５】
サーボエラー信号ＭＰＰ、ＳＰＰ１、ＳＰＰ２、ＳＳＤ−ＦＥの出力は、各サーボエラー信号の周波数特性がサーボ特性に直接的に影響するが、和信号ＭＰＩ、ＳＰＤ１、ＳＰＤ２、ＳＳＤ−ＰＩと、調整用信号Ｙ１、Ｙ２は、サーボエラー信号ＭＰＰ、ＳＰＰ１、ＳＰＰ２、ＳＳＤ−ＦＥに比べて、周波数特性の影響を受けにくい。そのため、各サーボエラー信号の出力の高域での位相特性を重視した多重化を行うことができる。つまり、上述したとおり、和信号ＭＰＩ、ＳＳＤ−ＰＩ、ＳＰＤ１、ＳＰＤ２、調整用信号Ｙ１、Ｙ２という６つの出力信号は、サーボエラー信号と比べて周波数特性の影響を受けにくいので、出力する時間を相対的に短くすることにより効率良く多重化して出力することができる。
【０１０６】
以上をまとめると、本発明の第３の実施形態に係る受光素子集積回路３３０に設けられる端子は、電源端子Ｖｃｃ、Ｖｃ、ＧＮＤと、入力端子Ｔｉｍｉｎｇと、出力端子Ｍａｉｎ＿ｍｕｌｔｉ、Ｓｉｄｅ１＿ｍｕｌｔｉ、Ｓｉｄｅ２＿ｍｕｌｔｉ、ＳＳＤ＿ｍｕｌｔｉ、Ｏ、Ｐ、Ｑ、Ｒの総計１２本の端子である。一方、図２０に示すように、従来技術で出力信号を多重化せずに出力した場合、受光素子集積回路３０に設けられる端子は、総計１７本である。従って、本実施形態では、受光素子集積回路３３０に設けられる端子数を減少させ、受光素子集積回路３３０を小型化することができる。更に端子に接続される信号線の数も低減するため、光ディスク駆動装置を小型化し、製造コストを縮減することができる。
【０１０７】
（第４の実施形態）
次に、本発明の第４の実施形態に係る光ディスク駆動装置について説明する。本実施形態の光ディスク駆動装置は、受光素子集積回路４３０以外の構成要素については、本発明の第１の実施形態と同一の機能構成を有するため、詳細な説明は省略する。まず、図１３を参照して、本実施形態に係る光集積素子１００の受光素子集積回路４３０の構成について説明する。図１３は、本実施形態に係る受光素子集積回路４３０を示す平面図である。
【０１０８】
受光素子集積回路４３０は、本発明の第１の実施形態に係る受光素子集積回路１３０と同様に、６つの受光素子１３１、１３２、１３３、１３４、１３５、１３６を有し、図１３に示すように、受光素子集積回路４３０の表面に配置される。受光素子１３１、１３２、１３３、１３４、１３５の位置関係、及び各受光素子に形成される受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒについても、第１の実施形態と同様である。
【０１０９】
更に、第１の実施形態と同様に、受光素子集積回路４３０は、各受光領域におけるビームスポットの光量を電気信号に変換し、受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒからは、それぞれ独立したアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒがそれぞれ出力される。そして、受光素子集積回路４３０は、各受光素子から出力されたアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒに基づいて演算されたサーボエラー信号、和信号、調整用信号をサーボ制御手段１７０に出力する。
【０１１０】
受光素子集積回路４３０がサーボ制御手段１７０に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２である。各信号は、第１の実施形態の説明と同一の演算式によって生成される。
【０１１１】
上記の演算は、受光素子集積回路４３０の内部で行われる。そして、受光素子集積回路４３０から出力されたこれらの信号は、フォーカスエラー信号及びトラッキングエラー信号といったサーボエラー信号について、ＡＧＣ（automatic gain control）を行うために使用される。サーボエラー信号に対してＡＧＣを行い、ＡＧＣを行ったサーボエラー信号用いることで、レーザー光の発光光量の変化や、光ディスク１９０の記録層での反射率の変化が生じた場合にも、安定化したサーボエラー信号を得ることができる。ＡＧＣを行ったサーボエラー信号は、第１の実施形態の説明と同一の演算式によって生成される。
【０１１２】
また、受光素子集積回路４３０からは、アナログ出力信号Ｏ、Ｐ、Ｑ、Ｒが受光素子集積回路４３０内で演算されないでそのまま出力される。アナログ出力信号Ｏ、Ｐ、Ｑ、Ｒは、受光素子集積回路４３０の外部にあるＲＦアンプ１２９内の加算回路によって加算され、ＲＦ信号が生成される。また、アナログ出力信号Ｏ、Ｐ、Ｑ、Ｒの位相差を外部の図示しない信号処理回路を用いて検出することによって、ＤＰＤ（differential phase detection）法によりトラッキングエラー信号を得ることができる。
【０１１３】
更に、受光素子集積回路４３０は、各受光素子から出力されたアナログ出力信号Ａ、Ｂ、Ｃ、Ｄに基づいて演算された調整用信号Ｙ１、Ｙ２を外部に出力する。調整用信号Ｙ１、Ｙ２は、光ディスク駆動装置製造時において、受光素子集積回路４３０上のビームスポットの位置を調整するための信号である。調整用信号Ｙ１、Ｙ２は、第１の実施形態と同一の演算式によって生成される。
【０１１４】
以上をまとめると、受光素子集積回路４３０が外部に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２と、アナログ出力信号Ｏ、Ｐ、Ｑ、Ｒと、調整用信号Ｙ１、Ｙ２であり、総計１４種類の信号がある。
【０１１５】
次に、図１３を参照して、本実施形態に係る受光素子集積回路の各端子について説明する。受光素子集積回路４３０は、端子として、電源端子Ｖｃｃ、Ｖｃ、ＧＮＤと、入力端子Ｔｉｍｉｎｇと、出力端子ＭＰＩ、ＭＰＰ、ＳＰＰ１、ＳＰＰ２、ＳＳＤ−ＦＥ、ＳＳＤ−ＰＩ、ＳＰＤ１＿ｍｕｌｔｉ、ＳＰＤ２＿ｍｕｌｔｉ、Ｏ、Ｐ、Ｑ、Ｒとを有し、総計１６の端子から構成される。
【０１１６】
電源端子Ｖｃｃには＋５Ｖ、電源端子Ｖｃには基準電圧である＋２．５Ｖの電圧が供給され、電源端子ＧＮＤは接地される。また、入力端子Ｔｉｍｉｎｇには、外部からタイミング信号Ｔｉｍｉｎｇが入力される。出力端子ＭＰＩ、ＭＰＰ、ＳＰＰ１、ＳＰＰ２、ＳＳＤ−ＦＥ、ＳＳＤ−ＰＩ、Ｏ、Ｐ、Ｑ、Ｒからは、１つの端子につき１つの信号が出力される。即ち、出力端子ＭＰＩ、ＭＰＰ、ＳＰＰ１、ＳＰＰ２、ＳＳＤ−ＦＥ、ＳＳＤ−ＰＩ、Ｏ、Ｐ、Ｑ、Ｒからは、それぞれメインの和信号ＭＰＩ、メインのプッシュプル信号ＭＰＰ、サイドのプッシュプル信号ＳＰＰ１、ＳＰＰ２、フォーカスエラー信号ＳＳＤ−ＦＥ、フォーカスエラー信号のための和信号ＳＳＤ−ＰＩ、アナログ出力信号Ｏ、Ｐ、Ｑ、Ｒが出力される。
【０１１７】
出力端子ＳＰＤ１＿ｍｕｌｔｉからは、図１４に示すように、サイドの和信号ＳＰＤ１と調整用信号Ｙ１が時分割され、多重化されてサーボ制御手段１７０に出力される。また、出力端子ＳＰＤ２＿ｍｕｌｔｉからは、サイドの和信号ＳＰＤ２と調整用信号Ｙ２が時分割多重化されて、サーボ制御手段１７０に出力される。
【０１１８】
以下に、図１４を参照して、本実施形態に係る時分割多重化による信号出力を説明する。タイミング信号Ｔｉｍｉｎｇは、図１４に示すように、ＬｏｗからＨｉｇｈの状態に変化した後、調整用信号出力時間Ｔｉｎｔａｄｊの間だけＨｉｇｈ状態を継続する。その後、タイミング信号Ｔｉｍｉｎｇは、ＨｉｇｈからＬｏｗの状態に変化する。更に、タイミング信号Ｔｉｍｉｎｇは、Ｌｏｗ状態に変化してから、サーボエラー信号出力時間Ｔｉｎｔｓｕｍ２の間、Ｌｏｗ状態を継続する。以降、タイミング信号Ｔｉｍｉｎｇは、同様に、Ｌｏｗ→Ｈｉｇｈ→Ｌｏｗを繰り返す。
【０１１９】
まず、出力端子ＳＰＤ１＿ｍｕｌｔｉからは、タイミング信号Ｔｉｍｉｎｇが立ち上がると、調整用信号Ｙ１が出力され、タイミング信号Ｔｉｍｉｎｇが立ち下がる時まで調整用信号Ｙ１が継続して出力される。そして、タイミング信号Ｔｉｍｉｎｇが立ち下がると、出力される信号が切り替わって、出力端子ＳＰＤ１＿ｍｕｌｔｉからは、和信号ＳＰＤ１が出力される。以降、出力端子ＳＰＤ１＿ｍｕｌｔｉからは、タイミング信号Ｔｉｍｉｎｇの立ち上がり時に、調整用信号Ｙ１が出力され、タイミング信号Ｔｉｍｉｎｇの立ち下り時に、和信号ＳＰＤ１が出力される。即ち、１本の信号線に調整用信号Ｙ１及び和信号ＳＰＤ１の２種類の信号が伝送される。
【０１２０】
同様に、出力端子ＳＰＤ２＿ｍｕｌｔｉからは、タイミング信号Ｔｉｍｉｎｇが立ち上がると、調整用信号Ｙ２が出力され、タイミング信号Ｔｉｍｉｎｇが立ち下がる時まで調整用信号Ｙ２が継続して出力される。そして、タイミング信号Ｔｉｍｉｎｇが立ち下がると、出力される信号が切り替わって、出力端子ＳＰＤ２＿ｍｕｌｔｉからは、和信号ＳＰＤ２が出力される。以降、出力端子ＳＰＤ２＿ｍｕｌｔｉからは、タイミング信号Ｔｉｍｉｎｇの立ち上がり時に、調整用信号Ｙ２が出力され、タイミング信号Ｔｉｍｉｎｇの立ち下り時に、和信号ＳＰＤ２が出力される。即ち、１本の信号線に調整用信号Ｙ２及び和信号ＳＰＤ２の２種類の信号が伝送される。なお、多重化された信号Ｙ１、Ｙ２から元の信号に復元する処理方法に関しては、上述した第１の実施形態と同様である。
【０１２１】
次に、図６及び図７を参照して、出力信号を元の連続した信号に復元する場合の各信号の周波数特性について説明する。図６は、本発明の第１の実施形態において出力される信号のゲインを示すボード線図である。図７は、同実施形態において出力される信号の位相ずれを示すボード線図である。これらのボード線図は、第１の実施形態のボード線図であるが、図中のＴｓをＴｉｎｔｓｕｍ２＋Ｔｉｎｔａｄｊと読み替えることによって、第４の実施形態に適用することができる。
【０１２２】
調整用信号が出力される調整用信号出力時間Ｔｉｎｔａｄｊを、例えば５×１０−６秒とし、和信号が出力される和信号出力時間Ｔｉｎｔｓｕｍ２を、例えば１×１０−４秒とする。このとき、和信号ＳＰＤ１、ＳＰＤ２は、調整用信号出力時間Ｔｉｎａｄｊの間、外部に信号が出力されない。そのため、調整用信号が出力される調整用信号出力時間Ｔｉｎａｄｊの期間は、正確な和信号は得られない。しかし、図１４のＳＰＤ１処理系及びＳＰＤ２処理系の列で示すように、調整用信号出力時間Ｔｉｎtａｄｊの間は、和信号ＳＰＤ１、ＳＰＤ２に対してＬＰＦ処理を施した信号を出し続ける、いわゆるホールド動作を行うことにより、調整用信号出力時間Ｔｉｎｔａｄｊが５×１０−６秒であれば、ＡＧＣの安定性に支障が生じることはない。なお、図１５には、図１の信号復元回路基板１７２内に構成される、和信号ＳＰＤ１、ＳＰＤ２のホールド動作を実現する回路構成を示す。和信号ＳＰＤ１、ＳＰＤ２は、タイミング信号ＴｉｍｉｎｇがＨｉｇｈのとき切り替えられて、ＬＰＦ（low pass filter）を通過し、ホールド動作が行われるように構成されている。
【０１２３】
一方、調整用信号Ｙ１、Ｙ２を元の連続した信号に復元する場合、図６及び図７に示すように、サンプリング時間Ｔｉｎｔｓｕｍ２＋Ｔｉｎｔａｄｊの長さに応じて、零次ホールドによるゲイン低下、位相遅れが生じる。例えば、本実施形態においては、サンプリング時間Ｔｉｎｔｓｕｍ２＋Ｔｉｎｔａｄｊは１×１０−４＋５×１０−６秒であり、図６に示すように、周波数１ｋＨｚでは、ゲイン低下は約０．１５ｄＢである。約０．１５ｄＢの低下は、多重化された信号を復元した調整用信号を使用することができる程度の低下である。
【０１２４】
即ち、和信号ＭＰＩ、ＳＰＤ１、ＳＰＤ２、ＳＳＤ−ＰＩと比べて、調整用信号Ｙ１、Ｙ２は、より周波数特性の影響を受けにくい。従って、上述したとおり、和信号及び調整用信号は、効率良く多重化して出力することができる。
【０１２５】
以上をまとめると、本発明の第４の実施形態に係る受光素子集積回路４３０に設けられる端子は、電源端子Ｖｃｃ、Ｖｃ、ＧＮＤと、入力端子Ｔｉｍｉｎｇと、出力端子ＭＰＩ、ＭＰＰ、ＳＰＰ１、ＳＰＰ２、ＳＳＤ−ＦＥ、ＳＳＤ−ＰＩ、ＳＰＤ１＿ｍｕｌｔｉ、ＳＰＤ２＿ｍｕｌｔｉ、Ｏ、Ｐ、Ｑ、Ｒの総計１６本の端子である。一方、図２０に示すように、従来技術で出力信号を多重化せずに出力した場合、受光素子集積回路３０に設けられる端子は、総計１７本である。従って、本実施形態では、受光素子集積回路４３０に設けられる端子数を減少させることができ、受光素子集積回路４３０を小型化することができる。更に端子に接続される信号線の数も低減するため、光ディスク駆動装置を小型化し、製造コストを縮減することができる。
【０１２６】
（第５の実施形態）
次に、本発明の第５の実施形態に係る光ディスク駆動装置について説明する。本実施形態の光ディスク駆動装置は、受光素子集積回路５３０以外の構成要素については、本発明の第１の実施形態と同一の機能構成を有するため、詳細な説明は省略する。まず、図１６を参照して、本実施形態に係る光集積素子１００の受光素子集積回路５３０の構成について説明する。図１６は、本実施形態に係る受光素子集積回路５３０を示す平面図である。
【０１２７】
受光素子集積回路５３０は、本発明の第１の実施形態に係る受光素子集積回路１３０と同様に、６つの受光素子１３１、１３２、１３３、１３４、１３５、１３６を有し、図１６に示すように、受光素子集積回路５３０の表面に配置される。受光素子１３１、１３２、１３３、１３４、１３５の位置関係、及び各受光素子に形成される受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒについても、第１の実施形態と同様である。
【０１２８】
更に、第１の実施形態と同様に、受光素子集積回路５３０は、各受光領域におけるビームスポットの光量を電気信号に変換し、受光領域Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒからは、それぞれ独立したアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒがそれぞれ出力される。
そして、受光素子集積回路５３０は、各受光素子から出力されたアナログ出力信号Ａ、Ｗ、Ｂ、Ｃ、Ｚ、Ｄ、Ｅ、Ｆ、Ｇ、Ｈ、Ｉ、Ｊ、Ｏ、Ｐ、Ｑ、Ｒに基づいて演算されたサーボエラー信号、和信号、調整用信号をサーボ制御手段１７０に出力する。
【０１２９】
受光素子集積回路５３０がサーボ制御手段１７０に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２である。各信号は、第１の実施形態の説明と同一の演算式によって生成される。
【０１３０】
上記の演算は、受光素子集積回路５３０の内部で行われる。そして、受光素子集積回路５３０から出力されたこれらの信号は、フォーカスエラー信号及びトラッキングエラー信号といったサーボエラー信号について、ＡＧＣ（automatic gain control）を行うために使用される。サーボエラー信号に対してＡＧＣを行い、ＡＧＣを行ったサーボエラー信号用いることで、レーザー光の発光光量の変化や、光ディスク１９０の記録層での反射率の変化が生じた場合にも、安定化したサーボエラー信号を得ることができる。ＡＧＣを行ったサーボエラー信号は、第１の実施形態の説明と同一の演算式によって生成される。
【０１３１】
また、受光素子集積回路５３０からは、アナログ出力信号Ｏ、Ｐ、Ｑ、Ｒが受光素子集積回路５３０内で他の信号と周波数多重化されて出力される。アナログ出力信号Ｏ、Ｐ、Ｑ、Ｒは、受光素子集積回路５３０の外部にあるＲＦアンプ１２９内の加算回路によって加算され、ＲＦ信号が生成される。また、アナログ出力信号Ｏ、Ｐ、Ｑ、Ｒの位相差を外部の図示しない信号処理回路を用いて検出することによって、ＤＰＤ（differential phase detection）法によりトラッキングエラー信号を得ることができる。
【０１３２】
更に、受光素子集積回路５３０は、各受光素子から出力されたアナログ出力信号Ａ、Ｂ、Ｃ、Ｄに基づいて演算された調整用信号Ｙ１、Ｙ２を外部に出力する。調整用信号Ｙ１、Ｙ２は、光ディスク駆動装置製造時において、受光素子集積回路５３０上のビームスポットの位置を調整するための信号である。調整用信号Ｙ１、Ｙ２は、第１の実施形態と同一の演算式によって生成される。
【０１３３】
以上をまとめると、受光素子集積回路５３０が外部に出力する信号は、フォーカスエラー信号ＳＳＤ−ＦＥと、フォーカスエラー信号のための和信号ＳＳＤ−ＰＩと、メインのプッシュプル信号ＭＰＰと、メインの和信号ＭＰＩと、サイドのプッシュプル信号ＳＰＰ１、ＳＰＰ２と、サイドの和信号ＳＰＤ１、ＳＰＤ２と、アナログ出力信号Ｏ、Ｐ、Ｑ、Ｒと、調整用信号Ｙ１、Ｙ２であり、総計１４種類の信号がある。
【０１３４】
次に、図１６を参照して、本実施形態に係る受光素子集積回路の各端子について説明する。受光素子集積回路５３０は、端子として、電源端子Ｖｃｃ、Ｖｃ、ＧＮＤと、出力端子ＭＰＩ、ＭＰＰ、ＳＰＰ１、ＳＰＰ２、ＳＳＤ−ＦＥ、ＳＳＤ−ＰＩ、Ｏ＿ｍｕｌｔｉ、Ｐ＿ｍｕｌｔｉ、Ｑ＿ｍｕｌｔｉ、Ｒ＿ｍｕｌｔｉとを有し、総計１３の端子から構成される。
【０１３５】
電源端子Ｖｃｃには＋５Ｖ、電源端子Ｖｃには基準電圧である＋２．５Ｖの電圧が供給され、電源端子ＧＮＤは接地される。出力端子ＭＰＩ、ＭＰＰ、ＳＰＰ１、ＳＰＰ２、ＳＳＤ−ＦＥ、ＳＳＤ−ＰＩからは、１つの端子につき１つの信号が出力される。即ち、出力端子ＭＰＩ、ＭＰＰ、ＳＰＰ１、ＳＰＰ２、ＳＳＤ−ＦＥ、ＳＳＤ−ＰＩからは、それぞれメインの和信号ＭＰＩ、メインのプッシュプル信号ＭＰＰ、サイドのプッシュプル信号ＳＰＰ１、ＳＰＰ２、フォーカスエラー信号ＳＳＤ−ＦＥ、フォーカスエラー信号のための和信号ＳＳＤ−ＰＩが出力される。
【０１３６】
出力端子Ｏ＿ｍｕｌｔｉからは、図１７及び図１８に示すように、アナログ出力信号Ｏと調整用信号Ｙ１が周波数分割され、多重化されて出力される。図１７は、本実施形態に係る多重化手段の回路を示す回路図である。図１８は、本実施形態に係る制御信号の周波数分割を示す説明図である。出力端子Ｐ＿ｍｕｌｔｉからは、アナログ出力信号Ｐと調整用信号Ｙ２が周波数分割多重化されて出力される。出力端子Ｑ＿ｍｕｌｔｉからは、アナログ出力信号Ｑとサイドの和信号ＳＰＤ１が周波数分割多重化されて出力される。出力端子Ｒ＿ｍｕｌｔｉからは、アナログ出力信号Ｒとサイドの和信号ＳＰＤ２が周波数分割多重化されて出力される。
【０１３７】
以下に、図１７及び図１８を参照して、本実施形態に係る周波数分割多重化による信号出力を説明する。調整用信号Ｙ１、Ｙ２は、受光素子集積回路１３０上のビームスポットの位置を調整するために使用する信号であるため、周波数特性で問題が生じることは少ない。そのため、調整用信号Ｙ１、Ｙ２は、周波数が約１００Ｈｚまで帯域があれば、調整用の信号として使用することができる。また、アナログ出力信号Ｏ、Ｐを再生信号として使用する場合、再生信号の最低周波数は、例えば４．１２５ＭＨｚである。この最低周波数４．１２５ＭＨｚは、例えばブルーレイディスクにおいて１倍速再生時の再生信号の最低周波数の値である。
【０１３８】
従って、図１８に示すように、調整用信号Ｙ１とアナログ出力信号Ｏの信号帯域が重ならないように、周波数分割多重化をして、両信号を１本の信号線に伝送することができる。周波数分割多重化は、図１７に示す回路を使用して、アナログ出力信号ＯをＨＰＦ（ハイパスフィルター）に通し、調整用信号Ｙ１をＬＰＦ（ローパスフィルター）に通した後、両者を加算することによって、行うことができる。同様に、調整用信号Ｙ２とアナログ出力信号Ｐについても、周波数分割多重化を行うことができる。
【０１３９】
更に、サイドの和信号ＳＰＤ１、ＳＰＤ２についても、アナログ出力信号Ｑ、Ｒの帯域と重ならない帯域で使用することができる。そのため、和信号ＳＰＤ１とアナログ出力信号Ｑを周波数分割多重化することができ、和信号ＳＰＤ２とアナログ出力信号Ｒを周波数分割多重化することができる。
【０１４０】
なお、出力端子Ｏ＿ｍｕｌｔｉからサーボ制御手段１７０に入力された多重化された信号は、図１９に示す信号復元回路基板１７２内の回路によって、再びＯとＹ１の信号に分離される（図中のＯ＿ｒｅｓ、Ｙ１＿ｒｅｓ）。なお、Ｐ＿ｍｕｌｔｉ、Ｑ＿ｍｕｌｔｉ、Ｒ＿ｍｕｌｔｉの回路に関しても、図１９の場合と同様である。分離されたアナログ信号Ｏ、Ｐ、Ｑ、Ｒは、ＲＦアンプ１２９に入力されて再生信号になり、更にそれぞれの位相差を検出してＤＰＤ法によるトラッキングエラー信号が生成される。
【０１４１】
以上をまとめると、本発明の第５の実施形態に係る受光素子集積回路５３０に設けられる端子は、電源端子Ｖｃｃ、Ｖｃ、ＧＮＤと、出力端子ＭＰＩ、ＭＰＰ、ＳＰＰ１、ＳＰＰ２、ＳＳＤ−ＦＥ、ＳＳＤ−ＰＩ、Ｏ＿ｍｕｌｔｉ、Ｐ＿ｍｕｌｔｉ、Ｑ＿ｍｕｌｔｉ、Ｒ＿ｍｕｌｔｉの総計１３本の端子である。一方、図２０に示すように、従来技術で出力信号を多重化せずに出力した場合、受光素子集積回路３０に設けられる端子は、総計１７本である。従って、本実施形態では、受光素子集積回路５３０に設けられる端子数を減少させ、受光素子集積回路５３０を小型化することができる。更に端子に接続される信号線の数も低減するため、光ディスク駆動装置を小型化し、製造コストを縮減することができる。
【０１４２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【０１４３】
【図１】本発明の第１の実施形態に係る光ディスク駆動装置を示すブロック図である。
【図２】同実施形態に係る光ディスク駆動装置の光ピックアップを示す説明図である。
【図３】同実施形態に係る光ピックアップの光集積素子を示す説明図である。
【図４】同実施形態に係る受光素子集積回路を示す平面図である。
【図５】同実施形態に係る受光素子集積回路の動作を示すタイミングチャートである。
【図６】同実施形態において出力される信号のゲインを示すボード線図である。
【図７】同実施形態において出力される信号の位相ずれを示すボード線図である。
【図８】本発明の第２の実施形態に係る受光素子集積回路を示す平面図である。
【図９】同実施形態に係る受光素子集積回路の動作を示すタイミングチャートである。
【図１０】本発明の第３の実施形態に係る受光素子集積回路を示す平面図である。
【図１１】同実施形態に係る受光素子集積回路の動作を示すタイミングチャートである。
【図１２】同実施形態に係るサーボホールド動作を実現する回路を示す回路図である。
【図１３】本発明の第４の実施形態に係る受光素子集積回路を示す平面図である。
【図１４】同実施形態に係る受光素子集積回路の動作を示すタイミングチャートである。
【図１５】同実施形態に係る和信号のホールド動作を実現する回路を示す回路図である。
【図１６】本発明の第５の実施形態に係る受光素子集積回路を示す平面図である。
【図１７】同実施形態に係る多重化手段の回路を示す回路図である。
【図１８】同実施形態に係る制御信号の周波数分割を示す説明図である。
【図１９】同実施形態に係る周波数分割多重化された信号を復元する回路を示す回路図である。
【図２０】従来の受光素子集積回路を示す平面図である。
【符号の説明】
【０１４４】
３０、１３０、２３０、３３０、４３０、５３０      受光素子集積回路
３１、３２、３３、３４、３５、３６、１３１、１３２、１３３、１３４、１３５、１３６      受光素子
１００      光集積素子
１０２      素子基板
１０３      リッド
１０４      立ち上げミラー
１０５      ＦＡＰＣ用受光素子
１０６      λ／２板
１０８      モールド複合素子
１１０      発光素子
１１２      グレーティング
１１４      ホログラム
１２０      積層プリズム
１２２      ＰＢＳ膜
１２４      ビームスプリッタ
１２６      全反射ミラー
１２９      ＲＦアンプ
１４０      光ピックアップ
１４１      コリメータレンズ
１４２      アナモフィックプリズム
１４３      エキスパンダレンズ
１４４      λ／４板
１４５      ２群対物レンズ
１５０      光学系
１５２      対物レンズ
１５４      ２軸アクチュエータ
１５６      スライドモータ
１５８      ＬＤドライバ
１６０      ディスク駆動手段
１６２      スピンドルモータ
１６４      スピンドル
１６６      ディスククランプ
１７０      サーボ制御手段
１７２      信号復元回路基板
１７４      変換部
１７６      位相補償部
１７７      ＤＳＰ
１７８      アナログフィルタ
１７９      制御用マイコン
１８０      スピンドルドライバ
１８２      フォーカスドライバ
１８４      トラッキングドライバ
１８６      スライドモータドライバ
１９０      光ディスク
【図１】
2008065913.tif 000003
【図２】
2008065913.tif 000004
【図３】
2008065913.tif 000005
【図４】
2008065913.tif 000006
【図５】
2008065913.tif 000007
【図６】
2008065913.tif 000008
【図７】
2008065913.tif 000009
【図８】
2008065913.tif 000010
【図９】
2008065913.tif 000011
【図１０】
2008065913.tif 000012
【図１１】
2008065913.tif 000013
【図１２】
2008065913.tif 000014
【図１３】
2008065913.tif 000015
【図１４】
2008065913.tif 000016
【図１５】
2008065913.tif 000017
【図１６】
2008065913.tif 000018
【図１７】
2008065913.tif 000019
【図１８】
2008065913.tif 000020
【図１９】
2008065913.tif 000021
【図２０】
2008065913.tif 000022